(57)【特許請求の範囲】
【請求項１】
ＴＤＭ端末が接続されるＴＤＭ回線を１〜複数収容するＴＤＭ端末接続装置と、ＴＤＭ交換機が接続されるＴＤＭ交換機インタフェースを収容するＴＤＭ交換機接続装置とが、レイヤ２フレームを転送する中継転送網を介して接続されるＴＤＭ信号伝送システムにおいて、
前記ＴＤＭ端末接続装置は、
予め設定されている前記ＴＤＭ回線を識別するための回線識別子を含み、かつＭＡＣアドレスに任意の値を設定したレイヤ２フレームに、前記回線識別子が示すＴＤＭ回線を介して入力されるＴＤＭ端末からのＴＤＭ信号をカプセル化し、当該ＴＤＭ信号をカプセル化したレイヤ２フレームを前記ＴＤＭ交換機接続装置にＭＡＣアドレスを割り当てることなく送信するＴＤＭ／レイヤ２変換部、
を備え、
前記ＴＤＭ交換機接続装置は、
前記ＴＤＭ端末接続装置から受信したレイヤ２フレームをデカプセル化してＴＤＭ信号を抽出し、抽出したＴＤＭ信号を前記受信したレイヤ２フレームに含まれる回線識別子に基づいて選択した前記ＴＤＭ交換機インタフェース上のチャネルに出力するレイヤ２／ＴＤＭ変換部、
を備えることを特徴とするＴＤＭ信号伝送システム。
【請求項２】
前記ＴＤＭ端末接続装置のＴＤＭ／レイヤ２変換部は、
前記レイヤ２フレームにＴＤＭ信号をカプセル化する際に、当該レイヤ２フレームの優先度を高優先とする情報を含ませること、
を特徴とする請求項１に記載のＴＤＭ信号伝送システム。
【請求項３】
前記ＴＤＭ交換機接続装置のレイヤ２／ＴＤＭ変換部は、
予め設定されている前記ＴＤＭ交換機インタフェース上のチャネルを識別するためのチャネル識別子を含み、かつＭＡＣアドレスに任意の値を設定したレイヤ２フレームに、前記チャネル識別子が示すＴＤＭ交換機インタフェース上のチャネルを介して入力されるＴＤＭ交換機からのＴＤＭ信号をカプセル化し、当該ＴＤＭ信号をカプセル化したレイヤ２フレームを前記ＴＤＭ端末接続装置にＭＡＣアドレスを割り当てることなく送信し、
前記ＴＤＭ端末接続装置のＴＤＭ／レイヤ２変換部は、
前記ＴＤＭ交換機接続装置から受信したレイヤ２フレームをデカプセル化してＴＤＭ信号を抽出し、抽出したＴＤＭ信号を前記受信したレイヤ２フレームに含まれるチャネル識別子に基づいて選択したＴＤＭ回線に出力すること、
を特徴とする請求項１または２に記載のＴＤＭ信号伝送システム。
【請求項４】
前記ＴＤＭ交換機接続装置のレイヤ２／ＴＤＭ変換部は、
前記レイヤ２フレームにＴＤＭ信号をカプセル化する際に、当該レイヤ２フレームの優先度を高優先とする情報を含ませること、
を特徴とする請求項３に記載のＴＤＭ信号伝送システム。
【請求項５】
ＴＤＭ端末が接続されるＴＤＭ回線を複数収容するＴＤＭ端末接続装置と、ＴＤＭ交換機が接続されるＴＤＭ交換機インタフェースを収容するＴＤＭ交換機接続装置とが、レイヤ２フレームを転送する中継転送網を介して接続されるＴＤＭ信号伝送システムにおいて、
前記ＴＤＭ端末接続装置は、
予め設定されている格納順序に基づいて、予め設定されている前記複数のＴＤＭ回線が共有する回線識別子を含み、かつＭＡＣアドレスに任意の値を設定したレイヤ２フレームに、前記回線識別子が示す複数のＴＤＭ回線からのＴＤＭ信号をカプセル化し、当該ＴＤＭ信号をカプセル化したレイヤ２フレームを前記ＴＤＭ交換機接続装置にＭＡＣアドレスを割り当てることなく送信するＴＤＭ／レイヤ２変換部、
を備え、
前記ＴＤＭ交換機接続装置は、
前記ＴＤＭ端末接続装置から受信したレイヤ２フレームをデカプセル化してＴＤＭ信号を抽出し、抽出したＴＤＭ信号を前記受信したレイヤ２フレームに含まれる回線識別子、前記格納順序、および予め設定されている前記ＴＤＭ交換機インタフェース上の複数のチャネルを識別するためのチャネル識別子を共有するチャネル数を示す共有チャネル数に基づいて選択した前記ＴＤＭ交換機インタフェース上のチャネルに出力するレイヤ２／ＴＤＭ変換部、
を備えることを特徴とするＴＤＭ信号伝送システム。
【請求項６】
前記ＴＤＭ端末接続装置のＴＤＭ／レイヤ２変換部は、
前記レイヤ２フレームにＴＤＭ信号をカプセル化する際に、当該レイヤ２フレームの優先度を高優先とする情報を含ませること、
を特徴とする請求項５に記載のＴＤＭ信号伝送システム。
【請求項７】
前記ＴＤＭ交換機接続装置のレイヤ２／ＴＤＭ変換部は、
前記格納順序および前記共有チャネル数に基づいて、前記チャネル識別子を含み、かつＭＡＣアドレスに任意の値を設定したレイヤ２フレームに、前記複数のチャネルから入力されるＴＤＭ信号をカプセル化し、当該ＴＤＭ信号をカプセル化したレイヤ２フレームをＴＤＭ端末接続装置にＭＡＣアドレスを割り当てることなく送信し、
前記ＴＤＭ端末接続装置のＴＤＭ／レイヤ２変換部は、
前記ＴＤＭ交換機接続装置から受信したレイヤ２フレームをデカプセル化してＴＤＭ信号を抽出し、抽出したＴＤＭ信号を前記受信したレイヤ２フレームに含まれるチャネル識別子および前記格納順序に基づいて選択した前記ＴＤＭ回線に出力すること、
を特徴とする請求項５または６に記載のＴＤＭ信号伝送システム。
【請求項８】
前記ＴＤＭ交換機接続装置のレイヤ２／ＴＤＭ変換部は、
前記レイヤ２フレームにＴＤＭ信号をカプセル化する際に、当該レイヤ２フレームの優先度を高優先とする情報を含ませること、
を特徴とする請求項７に記載のＴＤＭ信号伝送システム。
【請求項９】
前記ＴＤＭ交換機接続装置のレイヤ２／ＴＤＭ変換部は、
外部から前記共有チャネル数を変更する共有チャネル数変更指示を受けた場合、前記格納順序および前記共有チャネル数変更指示によって変更された共有チャネル数に基づいて前記複数のチャネルから入力されるＴＤＭ信号をカプセル化し、
前記ＴＤＭ端末接続装置のＴＤＭ／レイヤ２変換部は、
外部から前記回線識別子が示すＴＤＭ回線の回線数を変更する回線数変更指示を受けた場合、前記受信したレイヤ２フレームに含まれるチャネル識別子、前記格納順序、および前記回線数変更指示によって変更された回線数に基づいて、前記受信したレイヤ２フレームから抽出したＴＤＭ信号を出力するＴＤＭ回線を選択すること、
を特徴とする請求項７または８に記載のＴＤＭ信号伝送システム。
【請求項１０】
前記ＴＤＭ端末接続装置のＴＤＭ／レイヤ２変換部は、
外部から前記回線識別子が示すＴＤＭ回線の回線数を変更する回線数変更指示を受けた場合、前記回線数変更指示によって変更された回線数分のＴＤＭ回線からのＴＤＭ信号をカプセル化し、
前記ＴＤＭ交換機接続装置のレイヤ２／ＴＤＭ変換部は、
外部から前記共有チャネル数を変更する共有チャネル数変更指示を受けた場合、前記受信したレイヤ２フレームに含まれる回線識別子、前記格納順序、および前記共有チャネル数変更指示によって変更された共有チャネル数に基づいて、前記受信したレイヤ２フレームから抽出したＴＤＭ信号を出力するＴＤＭ交換機インタフェース上のチャネルを選択すること、
を特徴とする請求項５〜９の何れか一つに記載のＴＤＭ信号伝送システム。
【請求項１１】
前記ＴＤＭ交換機接続装置のレイヤ２／ＴＤＭ変換部は、
前記ＴＤＭ端末接続装置に送信するレイヤ２フレームに、当該レイヤ２フレームにカプセル化したＴＤＭ信号が入力されたＴＤＭ交換機インタフェース上のチャネル数を示す情報を含め、
前記ＴＤＭ端末接続装置のＴＤＭ／レイヤ２変換部は、
前記受信したレイヤ２フレームに含まれるチャネル数を示す情報を検出し、検出したチャネル数を示す情報および前記格納順序に基づいて、前記複数のＴＤＭ回線からのＴＤＭ信号をカプセル化すること、
を特徴とする請求項７または８に記載のＴＤＭ信号伝送システム。
【請求項１２】
前記ＴＤＭ交換機接続装置のレイヤ２／ＴＤＭ変換部は、
外部から前記共有チャネル数を変更する共有チャネル数変更指示を受けた場合、前記受信したレイヤ２フレームに含まれる回線識別子、前記格納順序、および前記共有チャネル数変更指示によって変更された共有チャネル数に基づいて、前記受信したレイヤ２フレームから抽出したＴＤＭ信号を出力するＴＤＭ交換機インタフェース上のチャネルを選択すること、
を特徴とする請求項１１に記載のＴＤＭ信号伝送システム。
【請求項１３】
前記ＴＤＭ交換機接続装置のレイヤ２／ＴＤＭ変換部は、
前記共有チャネル数変更指示を受けた場合、前記格納順序および前記共有チャネル数変更指示によって変更された共有チャネル数に基づいて前記複数のチャネルから入力されるＴＤＭ信号をカプセル化すること、
を特徴とする請求項１２に記載のＴＤＭ信号伝送システム。
【請求項１４】
ＴＤＭ端末が接続される異なる種類のＴＤＭ回線を複数収容するＴＤＭ端末接続装置と、ＴＤＭ交換機が接続される異なる種類のＴＤＭ交換機インタフェースを複数収容するＴＤＭ交換機接続装置とが、レイヤ２フレームを転送する中継転送網を介して接続されるＴＤＭ信号伝送システムにおいて、
前記ＴＤＭ端末接続装置は、
予め設定されている格納順序に基づいて、予め設定されている前記複数のＴＤＭ回線が共有する回線識別子および各ＴＤＭ回線の種類を示す情報を含み、かつＭＡＣアドレスに任意の値を設定したレイヤ２フレームに、前記回線識別子が示す複数のＴＤＭ回線からのＴＤＭ信号をカプセル化し、当該ＴＤＭ信号をカプセル化したレイヤ２フレームを前記ＴＤＭ交換機接続装置にＭＡＣアドレスを割り当てることなく送信するＴＤＭ／レイヤ２変換部、
を備え、
前記ＴＤＭ交換機接続装置は、
前記ＴＤＭ端末接続装置から受信したレイヤ２フレームをデカプセル化してＴＤＭ信号を抽出し、抽出したＴＤＭ信号を、前記格納順序と、前記受信したレイヤ２フレームに含まれる回線識別子および各ＴＤＭ回線の種類を示す情報とに基づいて選択した前記複数のＴＤＭ交換機インタフェース上のチャネルに出力するレイヤ２／ＴＤＭ変換部、
を備えることを特徴とするＴＤＭ信号伝送システム。
【請求項１５】
前記ＴＤＭ交換機接続装置のレイヤ２／ＴＤＭ変換部は、
予め設定されている前記複数のＴＤＭ交換機インタフェース上の複数のチャネルが共有するチャネル識別子および前記複数のＴＤＭ交換機インタフェースの種類を示す情報を含み、かつＭＡＣアドレスに任意の値を設定したレイヤ２フレームに、前記格納順序および前記チャネル識別子を共有するチャネル数を示す共有チャネル数に基づいて、前記複数のチャネルから入力されるＴＤＭ信号をカプセル化し、当該ＴＤＭ信号をカプセル化したレイヤ２フレームをＴＤＭ端末接続装置にＭＡＣアドレスを割り当てることなく送信し、
前記ＴＤＭ端末接続装置のＴＤＭ／レイヤ２変換部は、
前記ＴＤＭ交換機接続装置から受信したレイヤ２フレームをデカプセル化してＴＤＭ信号を抽出し、抽出したＴＤＭ信号を前記格納順序およびＴＤＭインタフェースの種類を示す情報に基づいて選択した前記複数のＴＤＭ回線に出力すること、
を特徴とする請求項１４に記載のＴＤＭ信号伝送システム。
【請求項１６】
前記ＴＤＭ端末接続装置のＴＤＭ／レイヤ２変換部は、
前記ＴＤＭ交換機接続装置から受信したレイヤ２フレームに含まれるＴＤＭインタフェースの種類を示す情報を検出し、検出したＴＤＭインタフェースの種類を示す情報および前記格納順序に基づいて、前記複数のＴＤＭ回線からのＴＤＭ信号をカプセル化すること、
を特徴とする請求項１５に記載のＴＤＭ信号伝送システム。
【請求項１７】
ＴＤＭ端末が接続されるＴＤＭ回線を１〜複数収容し、ＴＤＭ交換機が接続されるＴＤＭ交換機インタフェースを収容するＴＤＭ交換機接続装置とレイヤ２フレームを転送する中継転送網を介して接続されるＴＤＭ端末接続装置において、
予め設定されている前記ＴＤＭ回線を識別するための回線識別子を含み、かつＭＡＣアドレスに任意の値を設定したレイヤ２フレームに、前記回線識別子が示すＴＤＭ回線を介して入力されるＴＤＭ端末からのＴＤＭ信号をカプセル化し、当該ＴＤＭ信号をカプセル化したレイヤ２フレームを前記ＴＤＭ交換機接続装置にＭＡＣアドレスを割り当てることなく送信するＴＤＭ／レイヤ２変換部、
を備えることを特徴とするＴＤＭ端末接続装置。
【請求項１８】
前記ＴＤＭ／レイヤ２変換部は、
前記ＴＤＭ交換機接続装置から受信したレイヤ２フレームをデカプセル化してＴＤＭ信号を抽出し、抽出したＴＤＭ信号を前記受信したレイヤ２フレームに含まれるチャネル識別子に基づいて選択したＴＤＭ回線に出力すること、
を特徴とする請求項１７に記載のＴＤＭ端末接続装置。
【請求項１９】
前記ＴＤＭ／レイヤ２変換部は、
前記レイヤ２フレームにＴＤＭ信号をカプセル化する際に、当該レイヤ２フレームの優先度を高優先とする情報を含ませること、
を特徴とする請求項１７または１８に記載のＴＤＭ端末接続装置。
【請求項２０】
ＴＤＭ端末が接続されるＴＤＭ回線を複数収容し、ＴＤＭ交換機が接続されるＴＤＭ交換機インタフェースを収容するＴＤＭ交換機接続装置とレイヤ２フレームを転送する中継転送網を介して接続されるＴＤＭ端末接続装置において、
予め設定されている格納順序に基づいて、予め設定されている前記複数のＴＤＭ回線が共有する回線識別子を含み、かつＭＡＣアドレスに任意の値を設定したレイヤ２フレームに、前記回線識別子が示す複数のＴＤＭ回線からのＴＤＭ信号をカプセル化し、当該ＴＤＭ信号をカプセル化したレイヤ２フレームを前記ＴＤＭ交換機接続装置にＭＡＣアドレスを割り当てることなく送信するＴＤＭ／レイヤ２変換部、
を備えることを特徴とするＴＤＭ端末接続装置。
【請求項２１】
前記ＴＤＭ／レイヤ２変換部は、
前記ＴＤＭ交換機接続装置から受信したレイヤ２フレームをデカプセル化してＴＤＭ信号を抽出し、抽出したＴＤＭ信号を前記受信したレイヤ２フレームに含まれるチャネル識別子および前記格納順序に基づいて選択した前記ＴＤＭ回線に出力すること、
を特徴とする請求項２０に記載のＴＤＭ端末接続装置。
【請求項２２】
前記ＴＤＭ／レイヤ２変換部は、
前記レイヤ２フレームにＴＤＭ信号をカプセル化する際に、当該レイヤ２フレームの優先度を高優先とする情報を含ませること、
を特徴とする請求項２０または２１に記載のＴＤＭ端末接続装置。
【請求項２３】
前記ＴＤＭ／レイヤ２変換部は、
外部から前記回線識別子が示すＴＤＭ回線の回線数を変更する回線数変更指示を受けた場合、前記回線数変更指示によって変更された回線数分のＴＤＭ回線からのＴＤＭ信号をカプセル化すること、
を特徴とする請求項２０、２１または２２に記載のＴＤＭ端末接続装置。
【請求項２４】
前記ＴＤＭ／レイヤ２変換部は、
前記回線数変更指示を受けた場合、前記受信したレイヤ２フレームに含まれるチャネル識別子、前記格納順序、および前記回線数変更指示によって変更された回線数に基づいて、前記受信したレイヤ２フレームから抽出したＴＤＭ信号を出力するＴＤＭ回線を選択すること、
を特徴とする請求項２３に記載のＴＤＭ端末接続装置。
【請求項２５】
前記ＴＤＭ／レイヤ２変換部は、
前記ＴＤＭ交換機接続装置から受信したレイヤ２フレームに含まれるチャネル数を示す情報を検出し、検出したチャネル数を示す情報および前記格納順序に基づいて、前記複数のＴＤＭ回線からのＴＤＭ信号をカプセル化すること、
を特徴とする請求項２０、２１または２２に記載のＴＤＭ端末接続装置。
【請求項２６】
ＴＤＭ端末が接続される異なる種類のＴＤＭ回線を複数収容し、ＴＤＭ交換機が接続される異なる種類のＴＤＭ交換機インタフェースを収容するＴＤＭ交換機接続装置とレイヤ２フレームを転送する中継転送網を介して接続されるＴＤＭ端末接続装置において、
予め設定されている格納順序に基づいて、予め設定されている前記複数のＴＤＭ回線が共有する回線識別子および各ＴＤＭ回線の種類を示す情報を含み、かつＭＡＣアドレスに任意の値を設定したレイヤ２フレームに、前記回線識別子が示す複数のＴＤＭ回線からのＴＤＭ信号をカプセル化し、当該ＴＤＭ信号をカプセル化したレイヤ２フレームを前記ＴＤＭ交換機接続装置にＭＡＣアドレスを割り当てることなく送信するＴＤＭ／レイヤ２変換部、
を備えることを特徴とするＴＤＭ端末接続装置。
【請求項２７】
前記ＴＤＭ／レイヤ２変換部は、
前記ＴＤＭ交換機接続装置から受信したレイヤ２フレームをデカプセル化してＴＤＭ信号を抽出し、抽出したＴＤＭ信号を前記格納順序およびＴＤＭインタフェースの種類を示す情報に基づいて選択した前記複数のＴＤＭ回線に出力すること、
を特徴とする請求項２６に記載のＴＤＭ端末接続装置。
【請求項２８】
前記ＴＤＭ／レイヤ２変換部は、
前記ＴＤＭ交換機接続装置から受信したレイヤ２フレームに含まれるＴＤＭインタフェースの種類を示す情報を検出し、検出したＴＤＭインタフェースの種類を示す情報および前記格納順序に基づいて、前記複数のＴＤＭ回線からのＴＤＭ信号をカプセル化すること、
を特徴とする請求項２６または２７に記載のＴＤＭ端末接続装置。
【請求項２９】
ＴＤＭ交換機が接続されるＴＤＭ交換機インタフェースを収容し、ＴＤＭ端末が接続されるＴＤＭ回線を１〜複数収容するＴＤＭ端末接続装置と、レイヤ２フレームを転送する中継転送網を介して接続されるＴＤＭ交換機接続装置において、
予め設定されている前記ＴＤＭ交換機インタフェース上のチャネルを識別するためのチャネル識別子を含み、かつＭＡＣアドレスに任意の値を設定したレイヤ２フレームに、前記チャネル識別子が示すＴＤＭ交換機インタフェース上のチャネルを介して入力されるＴＤＭ交換機からのＴＤＭ信号をカプセル化し、当該ＴＤＭ信号をカプセル化したレイヤ２フレームを前記ＴＤＭ端末接続装置にＭＡＣアドレスを割り当てることなく送信するレイヤ２／ＴＤＭ変換部、
を備えることを特徴とするＴＤＭ交換機接続装置。
【請求項３０】
前記レイヤ２／ＴＤＭ変換部は、
前記ＴＤＭ端末接続装置から受信したレイヤ２フレームをデカプセル化してＴＤＭ信号を抽出し、抽出したＴＤＭ信号を、前記受信したレイヤ２フレームに含まれる前記ＴＤＭ回線を識別するための回線識別子に基づいて選択した前記ＴＤＭ交換機インタフェース上のチャネルに出力すること、
を特徴とする請求項２９に記載のＴＤＭ交換機接続装置。
【請求項３１】
前記レイヤ２／ＴＤＭ変換部は、
前記レイヤ２フレームにＴＤＭ信号をカプセル化する際に、当該レイヤ２フレームの優先度を高優先とする情報を含ませること、
を特徴とする請求項３０に記載のＴＤＭ交換機接続装置。
【請求項３２】
前記ＴＤＭ端末接続装置に予め設定されている回線識別子を前記ＴＤＭ回線が共有している場合、
前記レイヤ２／ＴＤＭ変換部は、
予め定められている格納順序および前記チャネル識別子を共有するチャネル数を示す共有チャネル数に基づいて、前記チャネル識別子を含み、かつＭＡＣアドレスに任意の値を設定したレイヤ２フレームに、前記複数のチャネルから入力されるＴＤＭ信号をカプセル化し、当該ＴＤＭ信号をカプセル化したレイヤ２フレームをＴＤＭ端末接続装置にＭＡＣアドレスを割り当てることなく送信すること、
を特徴とする請求項２９、３０または３１に記載のＴＤＭ交換機接続装置。
【請求項３３】
前記レイヤ２／ＴＤＭ変換部は、
外部から前記共有チャネル数を変更する共有チャネル数変更指示を受けた場合、前記受信したレイヤ２フレームに含まれる回線識別子、前記格納順序、および前記共有チャネル数変更指示によって変更された共有チャネル数に基づいて、前記受信したレイヤ２フレームから抽出したＴＤＭ信号を出力するＴＤＭ交換機インタフェース上のチャネルを選択すること、
を特徴とする請求項３２に記載のＴＤＭ交換機接続装置。
【請求項３４】
前記レイヤ２／ＴＤＭ変換部は、
前記共有チャネル数変更指示を受けた場合、前記格納順序および前記共有チャネル数変更指示によって変更された共有チャネル数に基づいて前記複数のチャネルから入力されるＴＤＭ信号をカプセル化すること、
を特徴とする請求項３３に記載のＴＤＭ交換機接続装置。
【請求項３５】
前記レイヤ２／ＴＤＭ変換部は、
前記ＴＤＭ端末接続装置に送信するレイヤ２フレームに、当該レイヤ２フレームにカプセル化したＴＤＭ信号が入力されたＴＤＭ交換機インタフェース上のチャネル数を示す情報を含めること、
を特徴とする請求項３２、３３または３４に記載のＴＤＭ交換機接続装置。
【請求項３６】
ＴＤＭ交換機が接続される異なる種類のＴＤＭ交換機インタフェースを複数収容し、ＴＤＭ端末が接続される異なる種類のＴＤＭ回線を収容するＴＤＭ端末接続装置と、レイヤ２フレームを転送する中継転送網を介して接続されるＴＤＭ交換機接続装置において、
予め設定されている前記複数のＴＤＭ交換機インタフェース上の複数のチャネルが共有するチャネル識別子および前記複数のＴＤＭ交換機インタフェースの種類を示す情報を含み、かつＭＡＣアドレスに任意の値を設定したレイヤ２フレームに、予め定められた格納順序および前記チャネル識別子を共有するチャネル数を示す共有チャネル数に基づいて、前記複数のチャネルから入力されるＴＤＭ信号をカプセル化し、当該ＴＤＭ信号をカプセル化したレイヤ２フレームをＴＤＭ端末接続装置にＭＡＣアドレスを割り当てることなく送信するレイヤ２／ＴＤＭ変換部、
を備えることを特徴とするＴＤＭ交換機接続装置。
【請求項３７】
前記レイヤ２／ＴＤＭ変換部は、
前記ＴＤＭ端末接続装置から受信したレイヤ２フレームをデカプセル化してＴＤＭ信号を抽出し、抽出したＴＤＭ信号を、前記格納順序と、前記受信したレイヤ２フレームに含まれる複数のＴＤＭ回線が共有する回線識別子および各ＴＤＭ回線の種類を示す情報と、に基づいて選択した前記複数のＴＤＭ交換機インタフェース上のチャネルに出力すること、
を特徴とする請求項３６に記載のＴＤＭ交換機接続装置。
【発明の詳細な説明】
【技術分野】
【０００１】
本発明は、ＴＤＭ（Time Division Multiplex）信号の転送に関するものであり、特に、ＴＤＭ信号をイーサネット（登録商標）フレームにカプセル化して転送するＴＤＭ信号伝送システム、ＴＤＭ端末接続装置、およびＴＤＭ交換機接続装置に関するものである。
【背景技術】
【０００２】
従来から、ＴＤＭ信号の一つである電話信号をイーサネット（登録商標）フレーム（以下、レイヤ２フレームとする）にカプセル化して転送する種々の技術が考えられている。たとえば、特許文献１には、低コストで、現存する交換装置の基本施設を交換する必要なく、一般的な電話技術ネットワークを拡張するテレコミニュケーション装置に関する技術が開示されている。
【０００３】
特許文献１に記載の従来技術では、共通シェルフ（たとえば、構内交換機：ＰＢＸ）と、電話機やＦＡＸなどの周辺ユニットを収容する周辺シェルフ（たとえば、ライントランクユニット：ＬＴＵ）との間に、第１制御器および第２制御器を備え、共通シェルフと第１制御器とを主等時性データリンクによって接続し、第１制御器と第２制御器とをパケット網によって接続し、第２制御器と周辺シェルフとをデータリンクによって接続して、第１制御器および第２制御器が、ＴＤＭ信号の１つである電話信号（等時性信号）をカプセル化してレイヤ２フレームを生成するとともに、レイヤ２フレームをデカプセル化して等時性信号を抽出するようにしている。
【０００４】
具体的には、第１制御器は、共通シェルフから送信された等時性信号をカプセル化したレイヤ２フレームを第２制御器に転送し、第２制御器がレイヤ２フレームをデカプセル化して等時性信号を抽出し、抽出した等時性信号を周辺シェルフに転送する。また、第２制御器は、周辺シェルフから送信された等時性信号をカプセル化したレイヤ２フレームを第１制御器に転送し、第１制御器がレイヤ２フレームをデカプセル化して等時性信号を抽出し、抽出した等時性信号を主等時性データリンク上のチャネルを介して共通シェルフに転送する。
【０００５】
第１制御器および第２制御器は、１つの共通シェルフに収容される複数の周辺ユニットの等時性信号を１つのレイヤ２フレームにカプセル化し、レイヤ２フレームの宛先アドレスによって周辺シェルフまたは共通シェルフを特定するようにしている。すなわち、第１制御器および第２制御器は、レイヤ２フレームの宛先アドレスに基づいて抽出した等時性信号を所望の周辺シェルフおよび共通シェルフに送出するために、アドレステーブルを登録しておき、等時性データリンクとパケット網との間のブリッジ動作を行なうようにしている。
【０００６】
【特許文献１】特開平１１−３３１２６６号公報
【発明の開示】
【発明が解決しようとする課題】
【０００７】
しかしながら、上記特許文献１に記載の従来技術によれば、第１制御器から第２制御器に転送されるレイヤ２フレームにおいては、レイヤ２フレームの宛先アドレスを用いて周辺シェルフを指定するようにしているので、周辺シェルフ毎に個別のアドレス（ＭＡＣアドレス）を割当てておく必要があった。また、第２制御器から第１制御器に転送されるレイヤ２フレームにおいては、フレームの宛先アドレスを共通シェルフで指定するため、共通シェルフにも個別のＭＡＣアドレスを割当てておく必要があった。共通シェルフおよび周辺シェルフに割当てるＭＡＣアドレスは固有の値とする必要があり、実際にはイーサネット（登録商標）のレイヤ２動作を行なわない周辺シェルフおよび共通シェフルにもＭＡＣアドレスを割当てることなり、ＭＡＣアドレスの枯渇を引き起こすという問題があった。
【０００８】
本発明は、上記に鑑みてなされたものであって、加入者電話機および電話交換機にＭＡＣアドレスを割当てることなく、ＴＤＭ信号をカプセル化して転送することができるＴＤＭ信号伝送システム、ＴＤＭ端末接続装置、およびＴＤＭ交換機接続装置を得ることを目的とする。
【課題を解決するための手段】
【０００９】
上述した課題を解決し、目的を達成するために、本発明は、ＴＤＭ端末が接続されるＴＤＭ回線を１〜複数収容するＴＤＭ端末接続装置と、ＴＤＭ交換機が接続されるＴＤＭ交換機インタフェースを収容するＴＤＭ交換機接続装置とが、レイヤ２フレームを転送する中継転送網を介して接続されるＴＤＭ信号伝送システムにおいて、前記ＴＤＭ端末接続装置は、予め設定されている前記ＴＤＭ回線を識別するための回線識別子を含み、かつＭＡＣアドレスに任意の値を設定したレイヤ２フレームに、前記回線識別子が示すＴＤＭ回線を介して入力されるＴＤＭ端末からのＴＤＭ信号をカプセル化し、当該ＴＤＭ信号をカプセル化したレイヤ２フレームを前記ＴＤＭ交換機接続装置にＭＡＣアドレスを割り当てることなく送信するＴＤＭ／レイヤ２変換部、を備え、前記ＴＤＭ交換機接続装置は、前記ＴＤＭ端末接続装置から受信したレイヤ２フレームをデカプセル化してＴＤＭ信号を抽出し、抽出したＴＤＭ信号を前記受信したレイヤ２フレームに含まれる回線識別子に基づいて選択した前記ＴＤＭ交換機インタフェース上のチャネルに出力するレイヤ２／ＴＤＭ変換部、を備えることを特徴とする。
【発明の効果】
【００１０】
この発明によれば、ＴＤＭ端末である加入者電話機が接続されるＴＤＭ端末接続装置が、ＴＤＭ信号をカプセル化したレイヤ２フレーム内に、カプセル化したＴＤＭ信号が入力されたＴＤＭ回線を識別するための回線識別子を含めてＴＤＭ交換機接続装置に送信し、ＴＤＭ交換機である電話交換機が接続されるＴＤＭ交換機接続装置は、ＴＤＭ端末接続装置から受信したレイヤ２フレームから回線識別子を抽出し、抽出した回線識別子に基づいて、受信したレイヤ２フレームをデカプセル化して抽出したＴＤＭ信号を出力するＴＤＭ交換機インタフェース上のチャネルを選択するようにしているので、ＴＤＭ端末接続装置およびＴＤＭ交換機接続装置にＭＡＣアドレスを割当てることなくＴＤＭ信号をレイヤ２フレームにカプセル化して転送することができるＴＤＭ信号伝送システムを得ることができるという効果を奏する。
【発明を実施するための最良の形態】
【００１１】
以下に、本発明にかかるＴＤＭ信号伝送システム、ＴＤＭ端末接続装置、およびＴＤＭ交換機接続装置の実施の形態を図面に基づいて詳細に説明する。なお、この実施の形態によりこの発明が限定されるものではない。また、以下の実施の形態では、ＴＤＭ信号の１つである電話信号を例に挙げて説明するが、ＴＤＭ信号は電話信号に限るものではない。
【００１２】
実施の形態１．
図１〜図８を参照してこの発明にかかる実施の形態１を説明する。図１は、この発明にかかる実施の形態１のＴＤＭ信号伝送システムの構成を示す図である。図１において、ＴＤＭ信号伝送システムは、加入者電話機１０６−１，１０６−２（特許請求の範囲で言うところのＴＤＭ端末）が接続される加入者回線（特許請求の範囲でいうところのＴＤＭ回線）を収容する電話機接続装置１−１，１−２（特許請求の範囲でいうところのＴＤＭ端末接続装置）と、電話交換機３（特許請求の範囲で言うところのＴＤＭ交換機）が接続されるＴＤＭ交換機インタフェースを収容する交換機接続装置２（特許請求の範囲でいうところのＴＤＭ交換機接続装置）とが中継転送網４を介して接続されている。
【００１３】
中継転送網４は、たとえば、イーサネット（登録商標）網５や、ＥＰＯＮ（Ethernet（登録商標） Passive Optical Network）、ＢＰＯＮ（Broadband Passive Optical Network），ＧＥ−ＰＯＮ（Gigabit Ethernet（登録商標）-Passive Optical Network）などのＰＯＮ（Passive Optical Network）システムなどがあり、中継転送網４がイーサネット（登録商標）網５である場合には、電話機接続装置１および交換機接続装置２は中継転送網４側のインタフェースとしてイーサネット（登録商標）インタフェース機能を備え、中継転送網４がＰＯＮインタフェースを収容するＯＬＴ（Optical Line Termination)）６である場合には、電話機接続装置１はＯＮＴ（Optical Network Termination）に相当し、さらに、中継転送網４がＯＬＴ８およびＯＮＵ（Optical Network Unit）７−１，７−２で構成されるＰＯＮシステムである場合には、電話機接続装置１はＯＮＵのＵＮＩインタフェースを備える。
【００１４】
以下、中継転送網４がＢＰＯＮの場合で、かつＯＮＵ７−１，７−２のＵＮＩインタフェースおよびＯＬＴ８の網側インタフェースがイーサネット（登録商標）インタフェース（以下、レイヤ２インタフェースとする）の場合を例に挙げて説明する。
【００１５】
図１に示した電話機接続装置１−１，１−２は同じ機能を備えている。図２に示した電話機接続装置１−１の構成を示すブロック図を参照して、電話機接続装置の機能を説明する。図２において、電話機接続装置１−１は、加入者電話機１０６−１が接続される加入者回線を収容するコネクタ（たとえば、ＲＪ−１１コネクタ）２１と、加入者電話機１０６−１との加入者回線インタフェースを終端するＳＬＩＣ２０と、呼び出し音を生成するための電源をＳＬＩＣ２０に供給するリンガー電源部２２と、ＴＤＭ信号をイーサネット（登録商標）フレーム（以下、レイヤ２フレームとする）にカプセル化するとともに、交換機接続装置２からのレイヤ２フレームをデカプセル化してＴＤＭ信号を抽出するＴＤＭ／レイヤ２変換部２３と、ＴＤＭ／レイヤ２変換部２３によって抽出されたＴＤＭ信号に基づいてクロックを生成するクロック再生部２４と、レイヤ２インタフェースを終端するレイヤ２ＰＨＹ部２５とを備えている。
【００１６】
加入者電話機１０６−１，１０６−２には、予め加入者電話機１０６−１，１０６−２を識別するための識別子が付与されている。この識別子は、電話機接続装置１−１，１−２および中継転送網４を介して交換機接続装置２に接続される加入者電話機１０６−１，１０６−２の間で固有の値であり、加入者電話機１０６−１，１０６−２と電話機接続装置１−１，１−２とを接続する加入者回線を識別するための回線識別子として用いられる。電話機接続装置１−１，１−２のＴＤＭ／レイヤ２変換部２３には、加入者電話機１０６−１，１０６−２を接続する加入者回線を識別する回線識別子であるＶＩＤ２６が予め設定されている。
【００１７】
図３は、図１に示した交換機接続装置２の構成を示すブロック図である。図３において、交換機接続装置２は、レイヤ２インタフェースを終端するレイヤ２ＰＨＹ部３０と、電話交換機３とのＴＤＭ交換機インタフェースを終端するＴＤＭＰＨＹ部３３と、電話交換機３からのＴＤＭ信号をレイヤ２フレームにカプセル化するとともに、電話機接続装置１からのレイヤ２フレームをデカプセル化してＴＤＭ信号を抽出するレイヤ２／ＴＤＭ変換部３１と、レイヤ２／ＴＤＭ変換部３１によって抽出されたＴＤＭ信号からＴＤＭ交換機インタフェース上でのフレームを生成するとともに、ＴＤＭＰＨＹ部３３から入力されるＴＤＭ信号をチャネル毎に分離するフレーマ３２とを備えている。
【００１８】
レイヤ２／ＴＤＭ変換部３１には、ＴＤＭ交換機インタフェース上のチャネルを識別するための識別子が設定されている。チャネルを識別する識別子は、自装置に接続している電話機接続装置１−１，１−２が収容する加入者電話機１０６−１，１０６−２の識別子と同じ値が設定される。ここでは、レイヤ２／ＴＤＭ変換部３１には、ＶＩＤ３４として電話機接続装置１−１と電話機接続装置１−２に設定されたＶＩＤ２６と同じ値（異なる２つの値）が設定される。
【００１９】
このように、加入者電話機１０６−１，１０６−２に付与された識別子とＴＤＭ交換機インタフェース上のチャネルの識別子とに同じ値を設定することで、電話機接続装置１が交換機接続装置２に送信するレイヤ２フレーム内に加入者電話機１０６−１，１０６−２の識別子を含めておけば、交換機接続装置２は加入者電話機１０６−１，１０６−２の識別子をＴＤＭ交換機インタフェース上のチャネルの識別子として用いることができ、かつ交換機接続装置２が電話機接続装置１に送信するレイヤ２フレーム内にＴＤＭ交換機インタフェース上のどのチャネルのＴＤＭ信号をカプセル化したかをチャネルの識別子として含めておけば、ＴＤＭ伝送システム内の加入者電話機１０６を特定することができる。
【００２０】
つぎに、加入者回線およびＴＤＭ交換機インタフェース上のチャネルを識別するための識別子として、レイヤ２フレームのＶＬＡＮタグを用いる場合を例に挙げて、この実施の形態１のＴＤＭ信号伝送システムの動作を説明する。まず、電話機接続装置１−１から交換機接続装置２方向への通信動作を説明する。
【００２１】
電話機接続装置１−１のＳＬＩＣ２０は、コネクタ２１を介して受信した加入者電話機１０６−１との加入者回線インタフェースを終端して、ＴＤＭ信号であるＰＣＭ（Pulse Code Modulation）信号をＴＤＭ／レイヤ２変換部２３に出力する。また、ＳＬＩＣ２０は、加入者電話機１０６のフック状態を示すシグナリング信号を生成してＴＤＭ／レイヤ２変換部２３に出力する。具体的には、ＳＬＩＣ２０は、１バイトのＰＣＭ信号と１バイトのシグナリング信号とを予め定められた周期（たとえば、１２５μｓ）毎にＴＤＭ／レイヤ２変換部２３に出力する。
【００２２】
電話機接続装置１−１のＴＤＭ／レイヤ２変換部２３は、１周期毎に入力されるＰＣＭ信号とシグナリング信号と１組のデータとして、予め定められた周期数分のデータをカプセル化して、レイヤ２フレームを生成する。
【００２３】
図５は、電話機接続装置１−１のＴＤＭ／レイヤ２変換部２３が生成するレイヤ２フレームの構成を示す図である。図５において、レイヤ２フレームは、宛先ＭＡＣアドレス４０、ソースＭＡＣアドレス４１、ＴＰＩＤ（Tag Protocol Identifier）４２、プライオリティ４３１とＣＦＩ（Canonical Format Identifier）４３２とＶＬＡＮ−ＩＤ４３３とを有するＴＣＩ４３、長さ／タイプ４４、シグナリング信号４５１とＰＣＭ信号４５２とを有するデータ４５と、ＰＡＤ４６、およびＦＣＳ４７で構成され、一般的なイーサネット（登録商標）フレームと同じフォーマットとなっている。図５において、ＴＰＩＤ４２とＴＣＩ４３とがＶＬＡＮタグである。
【００２４】
電話機接続装置１−１のＴＤＭ／レイヤ２変換部２３は、ＴＰＩＤ４２にレイヤ２フレームがＶＬＡＮタグ付きのフレームであることを示す固定値「０ｘ８１００」を設定し、ＶＬＡＮ−ＩＤ４３３に予め設定されているＶＩＤ２６を設定する。この実施の形態１のＴＤＭ信号伝送システムにおいては、一般的なレイヤ２フレームを用いるが、ＭＡＣアドレスを用いた転送を行なわないため、ＴＤＭ／レイヤ２変換部２３は、宛先ＭＡＣアドレス４０およびソースＭＡＣアドレス４１には任意の値を設定する。また、ＴＤＭ／レイヤ２変換部２３は、長さ／タイプ４４、プライオリティ４３１、およびＣＦＩ４３２には所定の値を設定する。
【００２５】
ＴＤＭ／レイヤ２変換部２３は、１バイトのシグナリング信号およびＰＣＭ信号をシグナリング信号４５１およびＰＣＭ信号４５２に予め定められた周期分（この場合はＮ（Ｎは自然数））設定し、宛先ＭＡＣアドレス４０からＦＣＳ４７までのレイヤ２フレームの長さが、所定の値（この場合は６４バイト）に満たない場合には、Ｎ周期分のデータ４５の後のレイヤ２フレームの長さが６４バイトになるようにＰＡＤ４６を設定し、ＦＣＳ４７にフレームチェックのためのデータを設定する。
【００２６】
ＴＤＭ／レイヤ２変換部２３は、レイヤ２ＰＨＹ部２５を介して、生成したレイヤ２フレームを中継転送網４に出力する。中継転送網４に出力されたレイヤ２フレームは、ＯＮＵ７−１およびＯＬＴ８を介して交換機接続装置２に到達する。
【００２７】
交換機接続装置２のレイヤ２ＰＨＹ部３０は、ＯＬＴ８から受信したレイヤ２フレームを終端してレイヤ２／ＴＤＭ変換部３１に出力する。レイヤ２／ＴＤＭ変換部３１は、レイヤ２フレームをデカプセル化してＮ周期分のデータ（シグナリング信号およびＰＣＭ信号）を抽出し、抽出したデータをフレーマ３２に出力する。
【００２８】
また、レイヤ２／ＴＤＭ変換部３１は、レイヤ２フレームのＶＬＡＮ−ＩＤ４３３に設定されているＶＩＤを抽出する。レイヤ２／ＴＤＭ変換部３１は、抽出したＶＩＤの値をチャネル識別子としてフレーマ３２に通知する。
【００２９】
フレーマ３２は、レイヤ２／ＴＤＭ変換部３１から入力されるデータからＴＤＭ交換機インタフェース上のフレームを生成してＴＤＭＰＨＹ部３３に出力するとともに、レイヤ２／ＴＤＭ変換部３１から通知されたチャネル識別子をＴＤＭＰＨＹ部３３に通知する。
【００３０】
ＴＤＭＰＨＹ部３３は、フレーマ３２が生成したフレームをチャネル識別子が示すＴＤＭ交換機インタフェース上のチャネルに出力する。これにより、加入者電話機１０６−１からのＮ周期分のＰＭＣ信号およびシグナリング信号が電話交換機３に到達する。
【００３１】
なお、電話機接続装置１−２から交換機接続装置２方向への通信動作は、電話機接続装置１−１から交換機接続装置２方向への通信動作と同じであるのでここではその説明を省略する。
【００３２】
つぎに、交換機接続装置２から電話機接続装置１−１方向への通信動作を説明する。交換機接続装置２のＴＤＭＰＨＹ部３３は、電話交換機３からのＴＤＭ信号を終端してフレーマ３２に出力する。
【００３３】
交換機接続装置２のフレーマ３２は、ＴＤＭ信号をチャネル毎のデータに分離してレイヤ２／ＴＤＭ変換部３１に出力する。具体的には、フレーマ３２は、１バイトのＰＣＭ信号と、着信側読み出し音鳴動／停止や加入者電話線の極性を制御するための１バイトのフック信号とを予め定められた周期（たとえば、１２５μｓ）毎に、レイヤ２／ＴＤＭ変換部３１に出力する。
【００３４】
交換機接続装置２のレイヤ２／ＴＤＭ変換部３１は、１周期毎に入力されるチャネル毎に分離されたＰＣＭ信号とシグナリング信号とを１組のデータとして、予め定められた周期数分のデータをカプセル化して、レイヤ２フレームを生成する。
【００３５】
図６は、交換機接続装置２のレイヤ２／ＴＤＭ変換部３１が生成するレイヤ２フレームの構成を示す図である。図６において、レイヤ２フレームは、宛先ＭＡＣアドレス５０、ソースＭＡＣアドレス５１、ＴＰＩＤ（Tag Protocol Identifier）５２、プライオリティ５３１とＣＦＩ（Canonical Format Identifier）５３２とＶＬＡＮ−ＩＤ５３３とを有するＴＣＩ５３、長さ／タイプ５４、フック信号５５１とＰＣＭ信号５５２とを有するデータ５５と、ＰＡＤ５６、およびＦＣＳ５７で構成され、一般的なイーサネット（登録商標）フレームと同じフォーマットとなっている。図６において、ＴＰＩＤ５２とＴＣＩ５３とがＶＬＡＮタグである。
【００３６】
交換機接続装置２のレイヤ２／ＴＤＭ変換部３１は、１バイトのフック信号およびＰＣＭ信号をフック信号５５１およびＰＣＭ信号５５２に予め定められた周期分（この場合はＭ（Ｍは自然数））設定する。レイヤ２／ＴＤＭ変換部３１は、ＴＰＩＤ５２にレイヤ２フレームがＶＬＡＮタグ付きのフレームであることを示す固定値「０ｘ８１００」を設定し、ＶＬＡＮ−ＩＤ５３３にデータ５５のＰＣＭ信号５５２に設定したＰＣＭ信号を受信したＴＤＭ交換機インタフェース上のチャネルを示すチャネル識別子をＶＩＤとして設定する。たとえば、図４に示したＴＤＭ交換機インタフェース上のチャネルＣＨ１からのＰＣＭ信号をＰＣＭ信号５５２に設定した場合には、ＶＬＡＮ−ＩＤ５３３に「１０１」を設定する。
【００３７】
レイヤ２／ＴＤＭ変換部３１は、宛先ＭＡＣアドレス５０およびソースＭＡＣアドレス５１には、任意の値を設定する。また、レイヤ２／ＴＤＭ変換部３１は、長さ／タイプ５４、プライオリティ５３１、およびＣＦＩ５３２には所定の値を設定する。レイヤ２／ＴＤＭ変換部３１は、宛先ＭＡＣアドレス５０からＦＣＳ５７までのレイヤ２フレームの長さが、所定の値（この場合は６４バイト）に満たない場合には、５周期分のデータ４５の後のレイヤ２フレームの長さが６４バイトになるようにＰＡＤ５６を設定し、ＦＣＳ５７にフレームチェックのためのデータを設定する。
【００３８】
交換機接続装置２のレイヤ２／ＴＤＭ変換部３１は、レイヤ２ＰＨＹ部３１を介して、生成したレイヤ２フレームを中継転送網４に出力する。中継転送網４に出力されたレイヤ２フレームは、ＯＬＴ８およびＯＮＵ７−１，７−２を介して電話機接続装置１−１，１−２に到達する。このとき、ＯＬＴ８にＯＮＵ７−１，７−２と当該ＯＮＵ７−１，７−２が収容する電話機接続装置１−１，１−２に登録されているＶＩＤ２６とを対応付けて登録しておき、ＯＬＴ８がレイヤ２フレームのＶＬＡＮ−ＩＤ５３３に設定されているＶＩＤに基づいて、当該ＶＩＤが登録されている電話機接続装置１−１，１−２を収容するＯＮＵ７−１，７−２に対してのみレイヤ２フレームを転送するようにしてもよい。ここでは、交換機接続装置２が生成したレイヤ２フレームのＶＬＡＮ−ＤＩ５３３に設定されているＶＩＤが電話機接続装置１−１に収容されている加入者電話機１０６−１を示しており、レイヤ２フレームが電話機接続装置１−１に到達したとする。
【００３９】
電話機接続装置１−１のレイヤ２ＰＨＹ部２５は、ＯＮＵ７−１を介して受信したレイヤ２フレームを終端してＴＤＭ／レイヤ２変換部２３に出力する。ＴＤＭ／レイヤ２変換部２３は、レイヤ２フレームをデカプセル化してＭ周期分のデータ５５を抽出してフック信号５５１およびＰＣＭ信号５５２に設定されているフック信号およびＰＭＣ信号を内部のバッファ（図示せず）に格納するとともに、ＰＣＭ信号５５２に設定されているＰＣＭ信号をクロック再生部２４に出力する。
【００４０】
電話機接続装置１−１のクロック再生部２４は、ＰＣＭ信号に基づいてクロックを生成してＴＤＭ／レイヤ２変換部２３に出力する。ＴＤＭ／レイヤ２変換部２３は、クロック再生部２４によって生成されたクロックを用いてバッファに格納したフック信号およびＰＣＭ信号をＳＬＩＣ２０に出力する。
【００４１】
ＳＬＩＣ２０は、フック信号に基づいてリンガー電源部２２から供給される電源を用いて、加入者電話機１０６−１の呼び出し音を鳴動／停止させ、加入者側電話線の極性を制御する。
【００４２】
なお、交換機接続装置２から電話機接続装置１−２方向への通信動作は、交換機接続装置２から電話機接続装置１−１方向への通信動作と同じであるのでここではその説明を省略する。
【００４３】
このようにこの実施の形態１においては、電話機接続装置１−１，１−２は、自装置が収容するＴＤＭ回線を識別するための回線識別子を含めたレイヤ２フレームにＴＤＭ信号をカプセル化して交換機接続装置２に送信し、交換機接続装置２は、電話機接続装置１−１，１−２から受信したレイヤ２フレームから回線識別子を抽出し、抽出した回線識別子に基づいて、受信したレイヤ２フレームをデカプセル化して抽出したＴＤＭ信号を出力するＴＤＭ交換機インタフェース上のチャネルを選択するようにしている。
【００４４】
これにより、ＴＤＭ回線とＴＤＭインタフェース上のチャネルとの対応付けとして、回線識別子とチャネル識別子とを同じ値に設定しておけば、加入者電話機および電話交換機にＭＡＣアドレスを割り当てることなく、ＴＤＭ信号をレイヤ２フレームにカプセル化して転送することができるＴＤＭ信号伝送システムを得ることができる。
【００４５】
なお、この実施の形態１では、電話機接続装置が収容する加入者電話機を１台として説明したが、図２に示した電話機接続装置１−１がコネクタ２１、ＳＬＩＣ２０、リンガー電源部２２、ＴＤＭ／レイヤ２変換部２３、クロック再生部２４、およびレイヤ２ＰＨＹ部２５を複数備えれば、加入者電話機１０６を複数収容することが可能である。この場合、電話機接続装置１−１は、交換機接続装置２から受信したレイヤ２フレームのＶＬＡＮ−ＩＤ５３３に設定されているチャネル識別子に対応する回線識別子が示すＴＤＭ回線を選択してＴＤＭ信号を出力する。
【００４６】
これにより、ＴＤＭ回線とＴＤＭインタフェース上のチャネルとの対応付けとして、回線識別子とチャネル識別子とを同じ値に設定しておけば、加入者電話機および電話交換機にＭＡＣアドレスを割り当てることなく、ＴＤＭ信号をレイヤ２フレームにカプセル化して転送することができるＴＤＭ信号伝送システムを得ることができる。
【００４７】
また、この実施の形態１では、加入者電話機およびＴＤＭ交換機インタフェース上のチャネルを識別するための識別子としてレイヤ２フレームのＶＬＡＮタグを用いる場合について説明したが、レイヤ２フレームのペイロードに加入者電話機およびＴＤＭ交換機インタフェース上のチャネルを識別するための識別子を設定するようにしてもよい。具体的には、図５に示したレイヤ２フレームの代わりに、図７に示すように、長さ／タイプ４４とデータ４５との間に回線／チャネル識別子４４０を設け、回線／チャネル識別子４４０にＶＩＤを設定し、図６に示したレイヤ／２フレームの代わりに、図８に示すように、長さ／タイプ５４とデータ５５との間に回線／チャネル識別子５４０を設け、回線／チャネル識別子５４０にＶＩＤを設定するようにすればよい。
【００４８】
実施の形態２．
図９〜図１５を用いてこの発明の実施の形態２を説明する。図９は、この発明にかかる実施の形態２のＴＤＭ信号伝送システムの構成を示す図である。図９において、ＴＤＭ信号伝送システムは、先の図１に示した実施の形態１のＴＤＭ信号伝送システムの電話機接続装置１−１，１−２の代わりに、電話機接続装置１ａ−１，１ａ−２を備えている。電話機接続装置１ａ−１は、ｎ（１＜ｎ，ｎは自然数）台の加入者電話機１０６ａ−１〜１０６ａ−ｎを収容し、電話機接続装置１ａ−２は、ｎ台の加入者電話機１０６ｂ−１〜１０６ｂ−ｎを収容する。図１に示した実施の形態１のＴＤＭ信号伝送システムと同じ機能を持つ構成部分には同一符号を付し、重複する説明を省略する。なお、図９においては、電話機接続装置１ａ−１および電話機接続装置１ａ−２がそれぞれ収容する加入者電話機の台数をｎとしたが、電話機接続装置１ａ−１および電話機接続装置１ａ−２が収容する加入者電話機の台数は同一台数に限るものではない。
【００４９】
以下、実施の形態１と同様に、中継転送網４がＢＰＯＮの場合で、かつＯＮＵ７−１，７−２のＵＮＩインタフェースおよびＯＬＴ８の網側インタフェースがイーサネット（登録商標）インタフェース（以下、レイヤ２インタフェースとする）の場合を例に挙げて説明する。
【００５０】
電話機接続装置１ａ−１，１ａ−２は同じ機能を備えている。図１０に示した電話機接続装置１ａ−１の構成を示すブロック図を参照して、電話機接続装置の機能を説明する。図１０において、電話機接続装置１ａ−１は、加入者電話機１０６ａ−１〜１０６ａ−ｎとの信号の処理を行なう回線インタフェース処理部２９−１〜２９−ｎと、ＴＤＭ信号をレイヤ２フレームにカプセル化するとともに、レイヤ２フレームをデカプセル化してＴＤＭ信号を抽出するＴＤＭ／レイヤ２変換部２３と、レイヤ２フレームを交換するレイヤ２スイッチ（以下、Ｌ２ＳＷとする）７０と、レイヤ２フレームを終端するレイヤ２ＰＨＹ部２５とを備えている。
【００５１】
回線インタフェース処理部２９−１〜２９−ｎは、全て同じ機能を備えている。回線インタフェース処理部２９−１は、ＴＤＭ回線である加入者回線（加入者電話機１０６ａ−１）を収容するコネクタ（例えば、ＲＪ−１１コネクタ）２１と、加入者回線インタフェースを終端するＳＬＩＣ２０と、呼び出し音を生成するための電源をＳＬＩＣ２０に供給するリンガー電源部２２と、レイヤ２フレームにカプセル化されたＴＤＭ信号に基づいてクロックを生成するクロック再生部２４とを備えている。
【００５２】
すなわち、電話機接続装置１ａ−１は、収容する加入者電話機の台数分のコネクタ２１、ＳＬＩＣ２０、リンガー電源部２２、クロック再生部２４を備え、ＴＤＭ／レイヤ２変換部２３、Ｌ２ＳＷ７０、およびレイヤ２ＰＨＹ部２５を複数の加入者電話機と接続する加入者加入者回線で共用している。以下、この実施の形態２では、電話機接続装置１ａ−１，１ａ−２が収容する加入者電話機を２台（ｎ＝２）として説明する。
【００５３】
電話機接続装置１ａ−１のＴＤＭ／レイヤ２変換部２３には、予め１つの識別子としてＶＩＤ２６ａが設定されている。ＶＩＤ２６ａは、交換機接続装置２に接続される電話機接続装置１ａ−１，１ａ−２の間で固有の値とする。図９においては、交換機接続装置２に電話機接続装置１ａ−１，１ａ−２が接続されているので、電話機接続装置１ａ−１と電話機接続装置１ａ−２のＴＤＭ／レイヤ２変換部２３には、それぞれ異なる値のＶＩＤ２６ａが設定される。すなわち、ＶＩＤ２６ａは、電話機接続装置１ａ−１が収容する加入者電話機１０６ａ−１と加入者電話機１０６ａ−２との加入者回線で共有の値となり、電話機接続装置１ａ−２が収容する加入者電話機１０６ｂ−１と加入者電話機１０６ｂ−２との加入者回線で共有の値となる。
【００５４】
一方、先の図３に示した交換機接続装置２のレイヤ２／ＴＤＭ変換部３１には、ＶＩＤ３４として交換機接続装置２が収容する電話機接続装置１ａ−１，１ａ−２に設定されたそれぞれのＶＩＤ２６ａと同じ値を予め設定しておく。また、ＶＩＤ３４がＴＤＭ交換機インタフェース上のどのチャネルで共有されるかを指定する共有チャネル数Ｋを設定しておく。図９の場合、電話機接続装置１ａ−１，１ａ−２は、それぞれ加入者回線を２回線収容しているので、共有チャネル数Ｋは「２」となるが、それぞれ異なる値であってもかまわない。
【００５５】
つぎに、加入者回線およびＴＤＭ交換機インタフェース上のチャネルを識別するための識別子として、レイヤ２フレームのＶＬＡＮタグを用いる場合を例に挙げて、この実施の形態２のＴＤＭ信号伝送システムの動作を説明する。まず、電話機接続装置１ａ−１から交換機接続装置２方向への通信動作を説明する。
【００５６】
電話機接続装置１ａ−１の回線インタフェース処理部２９−１，２９−２のＳＬＩＣ２０は、コネクタ２１を介して受信した加入者電話機１０６ａ−１，１０６ａ−２との加入者回線インタフェースを終端して、ＴＤＭ信号であるＰＣＭ（Pulse Code Modulation）信号をＴＤＭ／レイヤ２変換部２３に出力する。また、回線インタフェース処理部２９−１，２９−２のＳＬＩＣ２０は、加入者電話機１０６ａ−１，１０６ａ−２のフック状態を示すシグナリング信号を生成してＴＤＭ／レイヤ２変換部２３に出力する。具体的には、回線インタフェース処理部２９−１，２９−２のＳＬＩＣ２０は、１バイトのＰＣＭ信号と１バイトのシグナリング信号とを予め定められた周期（たとえば、１２５μｓ）毎にＴＤＭ／レイヤ２変換部２３に出力する。
【００５７】
ＴＤＭ／レイヤ２変換部２３は、回線インタフェース処理部２９−１，２９−２のＳＬＩＣ２０から１周期毎に入力されるＰＣＭ信号とシグナリング信号とを１組のデータとして、予め定められた周期数分のデータをカプセル化して図１１に示すようなレイヤ２フレームを生成する。
【００５８】
電話機接続装置１ａ−１のＴＤＭ／レイヤ２変換部２３は、宛先ＭＡＣアドレス４０およびソースＭＡＣアドレス４１に任意の値を設定し、ＴＰＩＤ４２にレイヤ２フレームがＶＬＡＮタグ付きのフレームであることを示す固定値「０ｘ８１００」を設定し、長さ／タイプ４４、プライオリティ４３１、およびＣＦＩ４３２には所定の値を設定し、ＶＬＡＮ−ＩＤ４３３にＶＩＤ２６ａの値を設定する。
【００５９】
電話機接続装置１ａ−１のＴＤＭ／レイヤ２変換部２３は、予め定められた順番、たとえば、回線インタフェース処理部２９−１，２９−２のコネクタ２１を識別するためのポート識別子の若番順にＰＣＭ信号およびシグナリング信号をカプセル化する。具体的には、ポート識別子がポート＃１である回線インタフェース処理部２９−１のコネクタ２１に対応する回線インタフェース処理部２９−１のＳＬＩＣ２０から入力された１バイトのシグナリング信号およびＰＣＭ信号をシグナリング信号４５１およびＰＣＭ信号４５２に予め定められた周期分（この場合はＮ）設定したＮ個のデータ４５の後に、ポート識別子がポート＃２である回線インタフェース処理部２９−２のコネクタ２１に対応する回線インタフェース処理部２９−２のＳＬＩＣ２０から入力された１バイトのシグナリング信号およびＰＣＭ信号をシグナリング信号４５１およびＰＣＭ信号４５２に予め定められた周期分（この場合はＮ）設定したＮ個のデータ４５を付加する。
【００６０】
電話機接続装置１ａ−１のＴＤＭ／レイヤ２変換部２３は、宛先ＭＡＣアドレス４０からＦＣＳ４７までのレイヤ２フレームの長さが、所定の値（この場合は６４バイト）に満たない場合には、Ｎ周期分のデータ４５の後のレイヤ２フレームの長さが６４バイトになるようにＰＡＤ４６を設定し、ＦＣＳ４７にフレームチェックのためのデータを設定する。
【００６１】
電話機接続装置１ａ−１のＴＤＭ／レイヤ２変換部２３は、生成したレイヤ２フレームをＬ２ＳＷ７０に出力し、Ｌ２ＳＷ７０はレイヤ２フレームを交換した後にレイヤ２ＰＨＹ部２５を介して中継転送網４に出力する。中継点転送網４に出力されたレイヤ２フレームは、ＯＮＵ７−１およびＯＬＴ８を介して交換機接続装置２に到達する。
【００６２】
交換機接続装置２のレイヤ２ＰＨＹ部３０は、ＯＬＴ８から受信したレイヤ２フレームを終端してレイヤ２／ＴＤＭ変換部３１に出力する。レイヤ２／ＴＤＭ変換部３１は、レイヤ２フレームをデカプセル化して共有チャネル数Ｋ×Ｎ周期分のデータ４５に設定されているデータ（シグナリング信号およびＰＣＭ信号）を抽出し、抽出したデータをフレーマ３２に出力する。ここでは、共有チャネル数Ｋが「２」であるので２Ｎ個のデータ４５に設定されているデータを抽出してフレーマ３２に出力する。
【００６３】
また、交換機接続装置２のレイヤ２／ＴＤＭ変換部３１は、レイヤ２フレームのＶＬＡＮ−ＩＤ４３３に設定されているＶＩＤを抽出する。レイヤ２／ＴＤＭ変換部３１は、抽出したＶＩＤの値に基づいてデータを出力すべきＴＤＭ交換機インタフェース上のチャネルを選択する。レイヤ２／ＴＤＭ変換部３１に、たとえば、図１２に示すようにＶＩＤが設定されていたとする。図１２において、レイヤ２／ＴＤＭ変換部３１は、レイヤ２フレームから抽出したＶＩＤが「１００」の場合ＴＤＭ交換機インタフェース上のチャネルＣＨ０〜ＣＨ２を選択し、レイヤ２フレームから抽出したＶＩＤが「１０１」の場合ＴＤＭ交換機インタフェース上のチャネルＣＨ３,ＣＨ４を選択し、…、レイヤ２フレームから抽出したＶＩＤが「１０７」の場合ＴＤＭ交換機インタフェース上のチャネルＣＨ２１〜ＣＨ２３を選択する。レイヤ２／ＴＤＭ変換部３１は、選択したチャネルを示すチャネル識別子をフレーマ３２に通知する。
【００６４】
交換機接続装置２のフレーマ３２は、レイヤ２／ＴＤＭ変換部３１から入力されるデータからＴＤＭ交換機インタフェース上のフレームを生成する。フレーマ３２は、ＴＤＭＰＨＹ部３３を介して、データから生成したそれぞれのＴＤＭ交換機インタフェース上のフレームをチャネル識別子が示すＴＤＭ交換機インタフェース上のチャネルに出力する。たとえば、レイヤ２フレームから抽出したＶＩＤが「１０１」の場合、レイヤ２／ＴＤＭ変換部３１からは、チャネルＣＨ３およびチャネルＣＨ４を示すチャネル識別子が通知される。フレーマ３２は、ＴＤＭＰＨＹ部３３を介して、ポート＃１に対応するデータ４５に設定されていたデータから生成したＴＤＭ交換機インタフェース上のフレームをチャネルＣＨ３に出力し、ポート＃２に対応するデータ４５に設定されていたデータから生成したＴＤＭ交換機インタフェース上のフレームをチャネルＣＨ４に出力する。これにより、加入者電話機１０６ａ−１，１０６ａ−２からのそれぞれＮ周期分のＰＭＣ信号およびシグナリング信号が電話交換機３に到達する。
【００６５】
なお、電話機接続装置１ａ−２から交換機接続装置２方向への通信動作は、電話機接続装置１ａ−１から交換機接続装置２方向への通信動作と同じであるのでここではその説明を省略する。
【００６６】
つぎに、交換機接続装置２から電話機接続装置１ａ−１方向への通信動作を説明する。交換機接続装置２のＴＤＭＰＨＹ部３３は、電話交換機３からのＴＤＭ信号を終端してフレーマ３２に出力する。
【００６７】
交換機接続装置２のフレーマ３２は、ＴＤＭ信号をチャネル毎のデータに分離してレイヤ２／ＴＤＭ変換部３１に出力する。具体的には、フレーマ３２は、１バイトのＰＣＭ信号と、着信側読み出し音鳴動／停止や加入者電話線の極性を制御するための１バイトのフック信号とを予め定められた周期（たとえば、１２５μｓ）毎に、レイヤ２／ＴＤＭ変換部３１に出力する。
【００６８】
交換機接続装置２のレイヤ２／ＴＤＭ変換部３１は、予め定められた順番、たとえば、ＴＤＭ交換機インタフェース上のチャネルを識別するためのチャネル識別子の若番順にＰＣＭ信号およびシグナリング信号をカプセル化して、図１３に示すようなレイヤ２フレームを生成する。
【００６９】
たとえば、図１２に示したＴＤＭ交換機インタフェース上のチャネルＣＨ３，ＣＨ４からのＰＣＭ信号およびフック信号がフレーマ３２から入力された場合、レイヤ２／ＴＤＭ変換部３１は、チャネル識別子がチャネル＃３であるチャネルＣＨ３に対応する１バイトのフック信号およびＰＣＭ信号をフック信号５５１およびＰＣＭ信号５５２に予め定められた周期分（この場合はＭ）設定したＭ個のデータ５５の後に、チャネル識別子がチャネル＃４であるチャネルＣＨ４から入力されたフック信号およびＰＣＭ信号をフック信号５５１およびＰＣＭ信号５５２に予め定められた周期分（この場合はＭ）設定したＭ個のデータ５５を付加する。
【００７０】
交換機接続装置２のレイヤ２／ＴＤＭ変換部３１は、宛先ＭＡＣアドレス５０およびソースＭＡＣアドレス５１に任意の値を設定し、長さ／タイプ５４、プライオリティ５３１、およびＣＦＩ５３２には所定の値を設定し、ＶＬＡＮ−ＩＤ５３３にはデータ５５に設定したデータに対応するチャネルに応じたＶＩＤを設定する。たとえば、図１２に示したチャネルＣＨ３，ＣＨ４からのデータをデータ５５に設定した場合には、ＶＬＡＮ−ＩＤ５３３に「１０１」を設定する。また、レイヤ２／ＴＤＭ変換部３１は、宛先ＭＡＣアドレス５０からＦＣＳ５７までのレイヤ２フレームの長さが、所定の値（この場合は６４バイト）に満たない場合には、データ４５の後のレイヤ２フレームの長さが６４バイトになるようにＰＡＤ５６を設定し、ＦＣＳ５７にフレームチェックのためのデータを設定する。
【００７１】
交換機接続装置２のレイヤ２／ＴＤＭ変換部３１は、レイヤ２ＰＨＹ部３０を介して、生成したレイヤ２フレームを中継転送網４に出力する。中継点転送網４に出力されたレイヤ２フレームは、ＯＬＴ８およびＯＮＵ７−１，７−２を介して電話機接続装置１ａ−１，１ａ−２に到達する。このとき、ＯＬＴ８にＯＮＵ７−１，７−２と当該ＯＮＵ７−１，７−２が収容する電話機接続装置１ａ−１，１ａ−２に登録されているＶＩＤ２６とを対応付けて登録しておき、ＯＬＴ８がレイヤ２フレームのＶＬＡＮ−ＩＤ５３３に設定されているＶＩＤに基づいて、当該ＶＩＤが登録されている電話機接続装置１ａ−１，１ａ−２を収容するＯＮＵ７−１，７−２に対してのみレイヤ２フレームを転送するようにしてもよい。ここでは、交換機接続装置２が生成したレイヤ２フレームのＶＬＡＮ−ＤＩ５３３に設定されているＶＩＤが電話機接続装置１ａ−１に設定されているＶＩＤ２６と同じ値を示しており、レイヤ２フレームが電話機接続装置１ａ−１に到達したとする。
【００７２】
電話機接続装置１ａ−１のレイヤ２ＰＨＹ部２５は、ＯＮＵ７を介して受信したレイヤ２フレームを終端してＬ２ＳＷ７０に出力する。Ｌ２ＳＷ７０は、レイヤ２フレームを交換した後にＴＤＭ／レイヤ２変換部２３に出力する。
【００７３】
電話機接続装置１ａ−１のＴＤＭ／レイヤ２変換部２３は、レイヤ２フレームをデカプセル化して２Ｍ周期分のデータ５５に設定されているデータ（フック信号およびＰＭＣ信号）を抽出して内部のバッファ（図示せず）に格納するとともに、チャネル＃３に対応するデータ５５のＰＣＭ信号５５２に設定されているＰＣＭ信号を回線インタフェース処理部２９−１のクロック再生部２４に出力し、チャネル＃４に対応するデータ５５のＰＣＭ信号５５２に設定されているＰＣＭ信号を回線インタフェース処理部２９−２のクロック再生部２４に出力する。
【００７４】
電話機接続装置１ａ−１の回線インタフェース処理部２９−１，２９−２のクロック再生部２４は、ＰＣＭ信号に基づいてクロックを生成してＴＤＭ／レイヤ２変換部２３に出力する。ＴＤＭ／レイヤ２変換部２３は、回線インタフェース処理部２９−１，２９−２のクロック再生部２４によって生成されたクロックを用いてバッファに格納したチャネル＃３，＃４に対応するフック信号およびＰＣＭ信号を回線インタフェース処理部２９−１，２９−２のＳＬＩＣ２０に出力する。
【００７５】
回線インタフェース処理部２９−１，２９−２のＳＬＩＣ２０は、フック信号に基づいて回線インタフェース処理部２９−１，２９−２のリンガー電源部２２から供給される電源を用いて、加入者電話機１０６ａ−１，１０６ａ−２の呼び出し音を鳴動／停止させ、加入者側回線の極性を制御する。
【００７６】
なお、交換機接続装置２から電話機接続装置１ａ−２方向への通信動作は、交換機接続装置２から電話機接続装置１ａ−１方向への通信動作と同じであるのでここではその説明を省略する。
【００７７】
このようにこの実施の形態２においては、電話機接続装置１ａ−１，１ａ−２は、自装置が収容する複数のＴＤＭ回線を識別するための回線識別子を含めたレイヤ２フレームに、予め定められた格納順序に基づいて各ＴＤＭ回線からのＴＤＭ信号をカプセル化して交換機接続装置２に送信し、交換機接続装置２は、電話機接続装置１ａ−１，１ａ−２から受信したレイヤ２フレームから回線識別子を抽出し、抽出した回線識別子、予め定められた格納順序、および予め定められているＴＤＭ交換機インタフェース上の複数のチャネルを識別するためのチャネル識別子を共有するチャネル数を示す共有チャネル数に基づいての値に基づいて、受信したレイヤ２フレームをデカプセル化して抽出したＴＤＭ信号を出力するＴＤＭ交換機インタフェース上のチャネルを選択するようにしている。
【００７８】
これにより、ＴＤＭ回線とＴＤＭインタフェース上のチャネルとの対応付けとして、回線識別子とチャネル識別子とを同じ値に設定しておけば、加入者電話機および電話交換機にＭＡＣアドレスを割り当てることなく、ＴＤＭ信号をレイヤ２フレームにカプセル化して転送することができるＴＤＭ信号伝送システムを得ることができる。
【００７９】
また、複数のＴＤＭ回線からのＴＤＭ信号をレイヤ２フレームにカプセル化する格納順を予め定めるようにしているので、ＴＤＭ回線毎、およびＴＤＭインタフェース上のチャネル毎に個別の識別子（回線識別子およびチャネル識別子）を付与する必要が無くなり、識別子の枯渇を抑制することができる。
【００８０】
なお、この実施の形態２では、加入者電話機およびＴＤＭ交換機インタフェース上のチャネルを識別するための識別子としてレイヤ２フレームのＶＬＡＮタグを用いる場合について説明したが、レイヤ２フレームのペイロードに加入者電話機１およびＴＤＭ交換機インタフェース上のチャネルを識別するための識別子を設定するようにしてもよい。具体的には、図１１に示したレイヤ２フレームの代わりに、図１４に示すように、長さ／タイプ４４とデータ４５との間に回線／チャネル識別子４４０を設け、回線／チャネル識別子４４０にＶＩＤを設定し、図２に示したレイヤ／２フレームの代わりに、図１５に示すように、長さ／タイプ５４とデータ５５との間に回線／チャネル識別子５４０を設け、回線／チャネル識別子５４０にＶＩＤを設定するようにすればよい。
【００８１】
また、交換機接続装置２のレイヤ２／ＴＤＭ変換部３１への共有チャネル数Ｋの設定方法はどのような方法であってもかまわない。
【００８２】
実施の形態３．
図１６および図１７を用いてこの発明の実施の形態３を説明する。先の図１または図８に示した中継転送網４は、ＴＤＭトラフィックだけでなくデータトラヒックや映像トラフィックなど、様々な種類のトラフィックを転送することができる。一般的に、ＴＤＭトラフィックには低遅延・低遅延揺らぎが要求される。この実施の形態３では、ＴＤＭトラフィックに要求される低遅延・低遅延揺らぎを実現する電話機接続装置について説明する。
【００８３】
まず、実施の形態１または実施の形態２では、ＶＬＡＮタグ付きのレイヤ２フレームを用いている。先の図５，６，１１，１３に示したように、ＶＬＡＮタグ付きのレイヤ２フレームには、優先順位を設定するプライオリティ４３１またはプライオリティ５３１がある。電話機接続装置１−１，１−２のＴＤＭ／レイヤ２変換部２３、または電話機接続装置１ａ−１，１ａ−２のＴＤＭ／レイヤ２変換部２３がレイヤ２フレームを生成する際に、プライオリティ４３１に最優先を示す値（たとえば、「７」）を設定し、交換機接続装置２のレイヤ２／ＴＤＭ変換部３１がレイヤ２フレームを生成する際に、プライオリティ５３１に最優先を示す値（たとえば、「７」）を設定する。これにより、ＶＬＡＮ優先度に基づいた優先転送が可能な中継転送網４においては、電話機接続装置１−１，１−２、１ａ−１，１ａ−２、および交換機接続装置２から出力されたレイヤ２フレームが優先的に処理されるので、ＴＤＭトラフィックに要求される低遅延・低遅延揺らぎを実現することができる。
【００８４】
また、電話機接続装置は、加入者電話機とレイヤ２インタフェースを有する端末を収容する場合がある。図１６は、加入者電話機とレイヤ２インタフェースを有する端末を収容する電話機接続装置１ｂの構成を示すブロック図である。図１６に示した電話機接続装置１ｂは、先の図２に示した電話機接続装置１−１に、レイヤ２インタフェースを有する端末を収容するコネクタ１１０（たとえば、ＲＪ−４５コネクタ）と、レイヤ２フレームを終端するレイヤ２ＰＨＹ部１１１と、一般的なレイヤ２のブリッジ機能を有するレイヤ２ブリッジ１１２と、優先制御部１１３とが追加されている。図２に示した電話機接続装置１−１と同じ機能を備える構成部分には同一符号を付し、重複する説明は省略する。
【００８５】
優先制御部１１３は、ＴＤＭ／レイヤ２変換部２３によって生成されるレイヤ２フレーム、すなわちコネクタ２１に接続される加入者電話機の信号がカプセル化されたレイヤ２フレームと、レイヤ２ブリッジから入力されるレイヤ２フレーム、すなわちコネクタ１１０に接続される端末からのレイヤ２フレームとの優先制御を行なう。
【００８６】
優先制御部１１３は、ＴＤＭ／レイヤ２変換部２３から入力されるレイヤ２フレームを蓄積するキュー１１４ａと、レイヤ２ブリッジ１１２から入力されるレイヤ２フレームを蓄積するキュー１１４ｂと、キュー１１４ａ，１１４ｂに蓄積されているレイヤ２フレームの読み出しを制御する読み出し制御部１１５とを備えている。
【００８７】
つぎに、電話機接続装置１ｂの動作を説明する。なお、実施の形態１と同じ動作については、詳細な説明は省略する。まず、電話機接続装置１ｂが中継転送網４にレイヤ２フレームを出力する動作を説明する。
【００８８】
レイヤ２ＰＨＹ部１１１はコネクタ１１０を介して受信した端末からのレイヤ２フレームを終端し、レイヤ２ブリッジは、レイヤ２ＰＨＹ部１１１によって終端されたレイヤ２フレームをブリッジして優先制御部１１３のキュー１１４ｂに格納する。
【００８９】
一方、ＳＬＩＣ２０はコネクタ２１を介して受信した加入者電話機との加入者回線インタフェースを終端してＰＣＭ信号およびシグナリング信号をＴＤＭ／レイヤ２変換部２３に出力する。ＴＤＭ／レイヤ２変換部２３は、ＰＣＭ信号およびシグナリング信号をカプセル化して先の図３に示したレイヤ２フレームを生成する。その際に、ＴＤＭ／レイヤ２変換部２３は、プライオリティ４３１に最優先を示す値（たとえば、「７」）を設定する。ＴＤＭ／レイヤ２変換部２３は、生成したレイヤ２フレームを優先制御部１１３のキュー１１４ａに格納する。
【００９０】
優先制御部１１３の読み出し制御部１１５は、キュー１１４ａ、１１４ｂにレイヤ２フレームが格納されているか否かを確認する。キュー１１４ａはＴＤＭ／レイヤ２変換部２３から出力されたレイヤ２フレーム、すなわち加入者電話機のＰＣＭ信号がカプセル化されたレイヤ２フレームを蓄積するキューであり、キュー１１４ｂはレイヤ２ブリッジ１１２から出力されたレイヤ２フレーム、すなわち端末からのレイヤ２フレームを蓄積するキューであるので、キュー１１４ａのほうがキュー１１４ｂよりも優先度が高く設定されている。読み出し制御部１１５は、キュー１１４ａとキュー１１４ｂとにレイヤ２フレームが格納されている場合には、一般的な優先制御を用いて、キュー１１４ａに蓄積されているレイヤ２フレームを優先的に読み出してレイヤ２ＰＨＹ部２５に出力する。これにより、ＶＬＡＮ優先度に基づいた優先転送が可能な中継転送網４においては、ＶＬＡＮ−ＩＤ４３３に最優先を示す値が設定された加入者電話機のＰＣＭ信号がカプセル化されたレイヤ２フレームが優先的に処理されて交換機接続装置２に到達する。
【００９１】
つぎに、電話機接続装置１ｂが中継転送網４からレイヤ２フレームを受信する動作を説明する。レイヤ２ＰＨＹ部２５は、中継転送網４から受信したレイヤ２フレームを終端して優先制御部１１３に出力する。優先制御部１１３は、受信したレイヤ２フレームが加入者電話機へのデータがカプセル化されたレイヤ２フレームであるのか、端末へのレイヤ２フレームであるのかを判定する。
【００９２】
具体的には、加入者電話機へのデータがカプセル化されたレイヤ２フレームである場合、交換機接続装置２は、先の図６に示したレイヤ２フレームを送信しており、宛先ＭＡＣアドレス５０およびソースＭＡＣアドレス５１には任意の値が設定され、ＶＬＡＮ−ＩＤ５３３には電話機接続装置１ｂに設定されているＶＩＤ２６が設定されている。これに対して、端末へのレイヤ２フレームは、一般的なレイヤ２フレームであり、宛先ＭＡＣアドレスには電話機接続装置１ｂが収容する端末のＭＡＣアドレスが設定され、ソースＭＡＣアドレスにはレイヤ２フレームの送信元の端末のＭＡＣアドレスが設定され、ＶＬＡＮ−ＩＤには予め設定されたＶＬＡＮを示す値が設定されている。優先制御部１１３は、これらの違いから受信したレイヤ２フレームが、加入者電話機へのデータがカプセル化されたレイヤ２フレームであるのか、端末へのレイヤ２フレームであるのかを判定する。
【００９３】
加入者電話機へのデータがカプセル化されたレイヤ２フレームであると判定した場合には、優先制御部１１３は、レイヤ２フレームをＴＤＭ／レイヤ２変換部２３に出力する。
【００９４】
ＴＤＭ／レイヤ２変換部２３は、レイヤ２フレームにデカプセル化してＭ周期分のデータ５５を抽出してフック信号５５１およびＰＣＭ信号５５２に設定されているフック信号およびＰＭＣ信号を内部のバッファ（図示せず）に格納するとともに、ＰＣＭ信号５５２に設定されているＰＣＭ信号をクロック再生部２４に出力し、クロック再生部２４によって生成されたクロックを用いてバッファに格納したフック信号およびＰＣＭ信号をＳＬＩＣ２０に出力する。
【００９５】
ＳＬＩＣ２０は、フック信号に基づいてリンガー電源部２２から供給される電源を用いて、加入者電話機の呼び出し音を鳴動／停止させ、加入者側電話線の極性を制御する。
【００９６】
一方、端末へのレイヤ２フレームであると判定した場合には、優先制御部１１３は、レイヤ２フレームをレイヤ２ブリッジ１１２に出力する。レイヤ２ブリッジ１１２は、レイヤ２フレームを交換した後にレイヤ２ＰＨＹ部１１１に出力し、レイヤ２ＰＨＹ部１１１はコネクタ１１０を介してレイヤ２フレームを端末に出力する。
【００９７】
このようにこの実施の形態３においては、電話機接続装置１ｂは、自装置が収容するＴＤＭ回線を識別するための回線識別子を含むレイヤ２フレームにＴＤＭ信号をカプセル化する際に、レイヤ２フレームの優先度を高優先とする情報としてプライオリティを最高位に設定するようにしているので、ＴＤＭ信号伝送システム内においてＴＤＭ回線からのＴＤＭ信号をカプセル化したレイヤ２フレームを優先して処理させることができ、ＴＤＭトラフィックの遅延や遅延揺らぎを抑制することができる。
【００９８】
なお、この実施の形態３では、電話機接続装置１ｂが収容する加入者電話機および端末をそれぞれ１台として説明したが、図１６に示したコネクタ２１、ＳＬＩＣ２０、リンガー電源部２２、ＴＤＭ／レイヤ２変換部２３、およびクロック再生部２４を複数備えれば、加入者電話機を複数収容することが可能であり、また、図１６に示したコネクタ１１０、レイヤ２ＰＨＹ部１１１、およびレイヤ２ブリッジ１１２を複数備えれば端末を複数収容することが可能である。
【００９９】
また、レイヤ２フレームとして先の図７に示したようにＶＬＡＮタグの代わりに回線／チャネル識別子４４０を有するレイヤ２フレームを用いるＴＤＭ信号伝送システムにおいては、ＶＬＡＮタグのプライオリティ４３１に優先度を設定することができない。この場合には、図１７に示すように、回線／チャネル識別子４４０に優先度を設定する優先度１４１とＶＩＤを設定する識別子１４２とを備え、ＴＤＭ／レイヤ２変換部２３が、優先度１４１に最優先を示す値を設定するようにすればよい。
【０１００】
実施の形態４．
図１８および図１９を用いてこの発明の実施の形態４を説明する。この発明にかかる実施の形態４のＴＤＭ信号伝送システムは、先の図９に示した実施の形態２のＴＤＭ信号伝送システムと同じであるが、電話機接続装置１ａ−１、１ｂ−２のＴＤＭ／レイヤ２変換部２３（図１０参照）に設定するＶＩＤ２６に対応付けて共通回線数Ｌを設定する点が異なる。
【０１０１】
先の実施の形態２では、ＶＩＤ２６として同じ交換機接続装置２に接続される複数の電話機接続装置１ａ−１、１ｂ−１の間で固有の値を設定した。この実施の形態４では、ＶＩＤ２６として同じ交換機接続装置２に接続される複数の電話機接続装置１ａ−１、１ｂ−１の間で固有の値を設定とともに、ＶＩＤ２６がどの加入者電話機１０６ａ−１、１０６ａ−２、１０６ｂ−１、１０６ｂ−２が接続されている加入者回線で共有されるかを指定する共有回線数Ｌが予め設定される。
【０１０２】
一方、先の実施の形態２で説明したように、交換機接続装置２のレイヤ２／ＴＤＭ変換部３１には、ＶＩＤ３４として交換機接続装置２が収容する電話機接続装置１ａ−１，１ａ−２に設定されたそれぞれのＶＩＤ２６と同じ値を予め設定するとともに、ＶＩＤ３４がＴＤＭ交換機インタフェース上のどのチャネルで共有されるかを指定する共有チャネル数Ｋが予め設定されている。共有チャネル数Ｋと共有回線数Ｌとは等しい値であり、電話機接続装置１ａ−１と電話機接続装置１ｂ−１とで異なる値であってもかまわない。
【０１０３】
つぎに、加入者回線およびＴＤＭ交換機インタフェース上のチャネルを識別するための識別子として、レイヤ２フレームのＶＬＡＮタグを用いる場合を例に挙げて、この実施の形態３のＴＤＭ信号伝送システムの動作を説明する。
【０１０４】
なお、実施の形態２と同じ動作についてはその説明を省略し、共有チャネル数Ｋおよび共有回線数Ｌとを用いた電話機接続装置１ａ−１のＴＤＭ／レイヤ２変換部２３および交換機接続装置２のレイヤ２／ＴＤＭ変換部３１の動作のみを説明する。また、電話機接続装置１ａ−１は、ｎ＝３、すなわち３台の加入者電話機１０６−１〜１０６−３を収容するものとする。
【０１０５】
まず、電話機接続装置１ａ−１から交換機接続装置２への通信時の動作について説明する。加入者電話機１０６ａ−１と加入者電話機１０６ａ−２とでＶＩＤ＝１０１を共有しているとすると、電話機接続装置１ａ−１のＴＤＭ／レイヤ２変換部２３にはＶＩＤ２６として「１０１」が設定され、この値に対応付けて共通回線数Ｌとして「２」が設定されており、回線インタフェース処理部２９−１、２９−２によって処理された加入者電話機１０６ａ−１、１０６ａ−２のデータをカプセル化してレイヤ２フレーム（図１１参照）を生成している。
【０１０６】
ここで、電話機接続装置１ａ−１のＴＤＭ／レイヤ２変換部２３に、外部からＶＩＤ＝１０１を共有する加入者回線として加入者電話機１０６ａ−３が接続される加入者回線を追加する「共有回線数Ｌ＝３」の共有回線数変更指示があったとする。共有回線数変更指示を受けると、ＴＤＭ／レイヤ２変換部２３は、レイヤ２フレームにカプセル化するデータ数を変更する。この場合は、回線インタフェース処理部２９−１のＳＬＩＣ２０からのシグナリング信号およびＰＣＭ信号をシグナリング信号４５１およびＰＣＭ信号４５２に設定したＮ個のデータ４５の後に、回線インタフェース処理部２９−２のＳＬＩＣ２０からのシグナリング信号およびＰＣＭ信号をシグナリング信号４５１およびＰＣＭ信号４５２に設定したＮ個のデータ４５を付加し、さらに、回線インタフェース処理部２９−２のＳＬＩＣ２０からのシグナリング信号およびＰＣＭ信号をシグナリング信号４５１およびＰＣＭ信号４５２に設定したＮ個のデータ４５を付加して、３回線分のデータをカプセル化したレイヤ２フレームを生成する。
【０１０７】
電話機接続装置１ａ−１が生成した３回線分のデータをカプセル化したレイヤ２フレームは、中継転送網４を介して交換機接続装置２に到達し、レイヤ２ＰＨＹ部３０を介してレイヤ２／ＴＤＭ変換部３１に入力される。
【０１０８】
交換機接続装置２のレイヤ２／ＴＤＭ変換部３１には、電話機接続装置１ａ−１のＴＤＭ／レイヤ２変換部２３に共有回線数変更指示が出力された時に、共有チャネル数Ｋを「２」から「３」に変更する共有チャネル数変更指示が外部より入力され、ＶＩＤ＝１０１に対応付けた共有チャネル数Ｋが「３」に変更されている。したがって、レイヤ２／ＴＤＭ変換部３１は、受け取ったレイヤ２フレームをデカプセル化して３チャネル分のデータを抽出する。すなわち、レイヤ２／ＴＤＭ変換部３１は、実施の形態２と同様に共有チャネル数Ｋ×Ｎ周期分のデータ４５に設定されたデータをレイヤ２フレームから抽出してフレーマ３２に出力する。
【０１０９】
また、レイヤ２／ＴＤＭ変換部３１は、ＶＬＡＮ−ＩＤ４３３に設定されているＶＩＤの値に基づいてデータを出力すべきＴＤＭ交換機インタフェース上のチャネルを選択する。ここでは、ＶＩＤとして「１０１」が設定されており、共有チャネル数Ｋが「３」であるので、レイヤ２／ＴＤＭ変換部３１は、図１２に示したチャネルＣＨ３、ＣＨ４にチャネルＣＨ５を追加した３チャネルを選択して、チャネルＣＨ３〜ＣＨ５を示すチャネル識別子をフレーマ３２に通知する。
【０１１０】
これにより、図１８に示すように、電話機接続装置１ａ−１に接続されている加入者電話機１０６ａ−１からのデータはレイヤ２フレームのポート＃１に対応するＮ個のデータ４５に設定され、加入者電話機１０６ａ−２からのデータはレイヤ２フレームのポート＃２に対応するＮ個のデータ４５に設定され、加入者電話機１０６ａ−３からのデータはレイヤ２フレームのポート＃３に対応するＮ個のデータ４５に設定されて交換機接続装置２に到達する。そして、交換機接続装置２によって、レイヤ２フレームのポート＃１に対応するＮ個のデータ４５に設定されたデータ（加入者電話機１０６ａ−１のデータ）はＴＤＭ交換機インタフェース上のチャネルＣＨ３に出力され、レイヤ２フレームのポート＃２に対応するＮ個のデータ４５に設定されたデータ（加入者電話機１０６ａ−２のデータ）はＴＤＭ交換機インタフェース上のチャネルＣＨ４に出力され、レイヤ２フレームのポート＃３に対応するＮ個のデータ４５に設定されたデータ（加入者電話機１０６ａ−３のデータ）はＴＤＭ交換機インタフェース上のチャネルＣＨ５に出力される。
【０１１１】
つぎに、交換機接続装置２から電話機接続装置１ａ−１への通信時の動作について説明する。交換機接続装置２のレイヤ２／ＴＤＭ変換部３１は、フレーマ３２によって分離されたチャネル毎のデータをカプセル化してレイヤ２フレームを生成する。先の図８に示したようにＶＩＤが設定され、ＶＩＤ＝１０１に対応付けて共有チャネル数Ｋ＝２が設定されていた場合、レイヤ２／ＴＤＭ変換部３１は、ＴＤＭ交換機インタフェース上のチャネルＣＨ３、ＣＨ４からのデータをカプセル化してレイヤ２フレーム（図１３参照）を生成する。
【０１１２】
ここで、交換機接続装置２のレイヤ２／ＴＤＭ変換部３１に、外部からＶＩＤ＝１０１を共有する共有チャネル数を変更する「共有チャネル数＝３」の共有チャネル数変更指示があったとする。共有チャネル数変更指示を受けると、レイヤ２／ＴＤＭ変換部３１は、レイヤ２フレームにカプセル化するデータ数を変更する。この場合は、チャネルＣＨ３からのデータをチャネル＃３に対応するフック信号およびＴＤＭ信号をフック信号５５１およびＰＣＭ信号５５２に設定したＭ個のデータ５５を設定した後に、チャネルＣＨ４からのデータをチャネル＃４に対応するフック信号およびＴＤＭ信号をフック信号５５１およびＰＣＭ信号５５２に設定したＭ個のデータ５５を付加し、さらに、チャネルＣＨ５からのデータをチャネル＃５に対応するフック信号およびＴＤＭ信号をフック信号５５１およびＰＣＭ信号５５２に設定したＭ個のデータ５５を付加して、３チャネル分のデータをカプセル化したレイヤ２フレームを生成する。また、レイヤ２／ＴＤＭ変換部３１は、レイヤ２フレームのＶＬＡＮ−ＩＤ５３３には「１０１」を設定する。
【０１１３】
交換機接続装置２が生成した３チャネル分のデータをカプセル化したレイヤ２フレームは、中継転送網４を介して電話機接続装置１ａ−１に到達し、レイヤ２ＰＨＹ部２５を介してＴＤＭ／レイヤ２変換部２３に入力される。
【０１１４】
電話機接続装置１ａ−１のＴＤＭ／レイヤ２変換部２３には、交換機接続装置２のレイヤ２／ＴＤＭ変換部３１に共有チャネル数変更指示が出力された時に、共有回線数Ｌを「２」から「３」に変更する共有回線数変更指示が外部より入力され、ＶＩＤ＝１０１に対応付け共有回線数Ｌが「３」に変更されている。したがって、ＴＤＭ／レイヤ２変換部２３は、受け取ったレイヤ２フレームをデカプセル化して３回線分のデータを抽出する。すなわち、ＴＤＭ／レイヤ２変換部２３は、共有回線数Ｌ×Ｍ周期分のデータ５５に設定されたデータをレイヤ２フレームから抽出して、回線インタフェース処理部２９−１〜２９−３のＳＬＩＣ２０に出力する。
【０１１５】
これにより、図１９に示すように、ＴＤＭ交換機インタフェース上のチャネルＣＨ３からのデータはレイヤ２フレームのチャネルＣＨ３に対応するＭ個のデータ５５に設定され、チャネルＣＨ４からのデータはレイヤ２フレームのチャネルＣＨ４からのデータはレイヤ２フレームのチャネルＣＨ４に対応するＭ個のデータ５５に設定され、チャネル５からのデータはレイヤ２フレームのチャネルＣＨ５に対応するＭ個のデータ５５に設定されて電話機接続装置１ａ−１に到達する。そして、電話機接続装置１ａ−１によって、レイヤ２フレームのチャネルＣＨ３に対応するＭ個のデータ５５に設定されたデータ（チャネルＣＨ３のデータ）は加入者電話機１０６ａ−１に出力され、レイヤ２フレームのチャネルＣＨ４に対応するＭ個のデータ５５に設定されたデータ（チャネルＣＨ４のデータ）は加入者電話機１０６ａ−２に出力され、レイヤ２フレームのチャネルＣＨ５に対応するＭ個のデータ５５に設定されたデータ（チャネルＣＨ５のデータ）は加入者電話機１０６ａ−３に出力される。
【０１１６】
このようにこの実施の形態４においては、電話機接続装置１ａ−１，１ａ−２は、ＴＤＭ／レイヤ２変換部２３に設定されている回線識別子が示すＴＤＭ回線の回線数（共有回線数Ｌ）を変更する回線変更指示を受けた場合、予め定められた格納順序に基づいて、回線識別子を含むレイヤ２フレームに変更後の共有回線数Ｌ分のＴＤＭ信号をカプセル化して電話機接続装置１に送信する。
【０１１７】
また、交換機接続装置２は、レイヤ２／ＴＤＭ変換部３１に設定されている共有チャネル数Ｋを変更する共有チャネル数変更指示を受けた場合、変更後の共有チャネル数Ｋ、予め定められた格納順序、および受信したレイヤ２フレームに含まれる回線識別子に基づいて、レイヤ２フレームをデカプセル化して抽出したＴＤＭ信号を出力するＴＤＭ交換機インタフェース上のチャネルを選択する。
【０１１８】
これにより、同一の回線識別子を共有するＴＤＭ回線、および同一のチャネル識別子を共有するＴＤＭ交換機インタフェース上のチャネル数の変更時にも、レイヤ２フレームにカプセル化するＴＤＭ信号数、およびレイヤ２フレームをデカプセル化して抽出するＴＤＭ信号数をダイナミックに変更することが可能となり、加入者の増減に柔軟に対応することができる。
【０１１９】
なお、この実施の形態４では、ＶＬＡＮタグ付きのレイヤ２フレームを用いた場合を例に挙げて説明したが、先の図１４および図１５に示したようにＶＬＡＮタグの代わりに回線／チャネル識別子４４０、５４０を有するレイヤ２フレームを用いた場合でも、ＶＬＡＮタグ付きのレイヤ２フレームを用いた場合と同じであることはいうまでもない。
【０１２０】
また、電話機接続装置１ａ−１、１ｂ−２のＴＤＭ／レイヤ２変換部２３への共有回線数Ｌの設定および変更方法、交換機接続装置２のレイヤ２／ＴＤＭ変換部３１への共有チャネル数Ｋの設定および変更方法は、どのような方法であってもかまわない。
【０１２１】
実施の形態５．
図２０を参照してこの発明にかかる実施の形態５を説明する。実施の形態４では、電話機接続装置に同一の回線識別子を共有するＴＤＭ回線の数を示す共有回線数を設定し、交換機接続装置に同一のチャネル識別子を共有するＴＤＭ交換インタフェース上のチャネルの数を示す共有チャネル数を設定し、ＴＤＭ回線数およびＴＤＭ交換機インタフェース上のチャネル数を変更する際には、共有回線数および共有チャネル数を外部から変更して、レイヤ２フレームにカプセル化するＴＤＭ信号、およびレイヤ２フレームをデカプセル化して抽出するＴＤＭ信号の数をダイナミックに変更するようにした。
【０１２２】
この実施の形態５では、電話機接続装置に共通回線数Ｌを設定することなく、レイヤ２フレーム内に共有チャネル数Ｋを認識するための情報を付加して、レイヤ２フレームにカプセル化するＴＤＭ信号、およびレイヤ２フレームをデカプセル化して抽出するＴＤＭ信号の数をダイナミックに変更するものである。
【０１２３】
この発明にかかる実施の形態５のＴＤＭ信号伝送システムは、先の図に示した実施の形態２のＴＤＭ信号伝送システムと同じであるのでここではその説明を省略する。
【０１２４】
図２０は、交換機接続装置２のレイヤ２／ＴＤＭ変換部３１が生成するレイヤ２フレームの構成を示している。図２０に示したレイヤ２フレームは、長さ／タイプ５３とチャネル＃３に対応する１周期目のデータが設定されるデータ５５との間と、チャネル＃３に対応するＭ周期目のデータが設定されるデータ５５とチャネル＃４に対応する１周期目のデータが設定されるデータ５５との間と、チャネル＃４に対応するＭ周期目のデータが設定されるデータ５５とチャネル＃５に対応する１周期目のデータが設定されるデータ５５との間と、チャネル＃４に対応するＭ周期目のデータが設定されるデータ５５とＰＡＤ５６との間に、それぞれフラグ５１０を備えている。フラグ５１０にはフラグ５１０の後にデータ５５が設定されているか否か、すなわちフラグ５１０の後に値が有効であるか否かを示す情報が設定される。図２０においては、「１」が有効なデータ５５があることを示し、「０」が有効なデータ５５が無いこと（後の値が無効であること）を示している。
【０１２５】
なお、図２０においては、チャネル＃３〜チャネル＃５に対応するデータをデータ５５に設定する場合を例に挙げているが、レイヤ２／ＴＤＭ変換部３１に予め設定されているＶＩＤおよび当該ＶＩＤに対応付けられた共有チャネル数Ｋに応じて、チャネルおよびチャネル数は可変である。
【０１２６】
つぎに、加入者回線およびＴＤＭ交換機インタフェース上のチャネルを識別するための識別子として、レイヤ２フレームのＶＬＡＮタグを用いる場合を例に挙げて、この実施の形態５のＴＤＭ信号伝送システムの動作を説明する。なお、電話機接続装置１ａ−１、１ｂ−１のＴＤＭ／レイヤ２変換部２３には、実施の形態２と同様に、予め１つの識別子としてＶＩＤ２６ａが設定されているものとする。ＶＩＤ２６ａは、交換機接続装置２に接続される電話機接続装置１ａ−１，１ａ−２の間で固有の値とする。
【０１２７】
また、交換機接続装置２のレイヤ２／ＴＤＭ変換部３１には、実施の形態２と同様に、ＶＩＤ３４として交換機接続装置２が収容する電話機接続装置１ａ−１，１ａ−２に設定されたそれぞれのＶＩＤ２６と同じ値が予め設定され、ＶＩＤ３４がＴＤＭ交換機インタフェース上のどのチャネルで共有されるかを指定する共有チャネル数Ｋが設定されているものとする。
【０１２８】
まず、交換機接続装置２から電話機接続装置１ａ−１への通信時の動作について説明する。なお、実施の形態２と同様の動作についてはその説明を省略し、交換機接続装置２のレイヤ２／ＴＤＭ変換部３１、および電話機接続装置１ａ−１のＴＤＭ／レイヤ２変換部２３の動作のみを説明する。
【０１２９】
交換機接続装置２のレイヤ２／ＴＤＭ変換部３１に、先の図８に示したようにＶＩＤが設定されており、外部からＶＩＤ＝１０１を共有する共有チャネル数Ｋを「２」から「３」に変更する共有チャネル数変更指示があったとする。共有チャネル数変更指示を受けると、レイヤ２／ＴＤＭ変換部３１は、レイヤ２フレームにカプセル化するデータ数を変更する。この場合、レイヤ２／ＴＤＭ変換部３１は、宛先ＭＡＣアドレス５０およびソースＭＡＣアドレス５１に任意の値を設定し、ＴＰＩＤ５２に「０ｘ８１００」を設定し、プライオリティ５３１およびＣＨＩ５３２に所定の値を設定し、ＶＬＡＮ−ＩＤ５３３に「１０１」を設定し、長さ／タイプ５４に所定の値を設定した後に、長さ／タイプ５４の後のフラグ５１０に「１」を設定し、チャネル識別子がチャネル＃３であるチャネルＣＨ３からのフック信号およびＰＣＭ信号をフック信号５５１およびＰＣＭ信号５５２に設定したＭ個のデータ５５の後のフラグ５１０に「１」を設定し、チャネル識別子がチャネル＃４であるチャネルＣＨ３からのフック信号およびＰＣＭ信号をフック信号５５１およびＰＣＭ信号５５２に設定したＭ個のデータ５５の後のフラグ５１０に「１」を設定し、チャネル識別子がチャネル＃５であるチャネルＣＨ５からのフック信号およびＰＣＭ信号をフック信号５５１およびＰＣＭ信号５５２に設定したＭ個のデータ５５の後のフラグ５１０に「０」を設定する。
【０１３０】
交換機接続装置２が生成した３チャネル分のデータをカプセル化したレイヤ２フレームは、中継転送網４を介して電話機接続装置１ａ−１に到達し、レイヤ２ＰＨＹ部２５を介してＴＤＭ／レイヤ２変換部２３に入力される。
【０１３１】
電話機接続装置１ａ−１のＴＤＭ／レイヤ２変換部２３は、レイヤ２フレームをデカプセル化してデータ５５を抽出する。具体的には、ＴＤＭ／レイヤ２変換部２３は、長さ／タイプ５４の後のフラグ５１０に設定されている値に基づいて、後続するデータ５５が有効であるか否かを判定する。この場合、長さ／タイプ５４の後のフラグ５１０には「１」（データ有効）が設定されているので、チャネル＃３に対応するＭ個のデータ５５に設定されているフック信号およびＰＣＭ信号を抽出して回線インタフェース処理部２９−１のＳＬＩＣ２０に出力する。
【０１３２】
電話機接続装置１ａ−１のＴＤＭ／レイヤ２変換部２３は、チャネル＃３に対応するＭ個のデータ５５の後のフラグ５１０に設定されている値に基づいて、後続するデータ５５が有効であるか否かを判定する。この場合、チャネル＃３に対応するＭ個のデータ５５の後のフラグ５１０には「１」が設定されているので、ＴＤＭ／レイヤ２変換部２３は、チャネル＃４に対応するＭ個のデータ５５に設定されているフック信号およびＰＣＭ信号を抽出して回線インタフェース処理部２９−２のＳＬＩＣ２０に出力する。
【０１３３】
電話機接続装置１ａ−１のＴＤＭ／レイヤ２変換部２３は、チャネル＃４に対応するＭ個のデータ５５の後のフラグ５１０に設定されている値に基づいて、後続するデータ５５が有効であるか否かを判定する。この場合、チャネル＃４に対応するＭ個のデータ５５の後のフラグ５１０には「１」が設定されているので、ＴＤＭ／レイヤ２変換部２３は、チャネル＃５に対応するＭ個のデータ５５に設定されているフック信号およびＰＣＭ信号を抽出して回線インタフェース処理部２９−３のＳＬＩＣ２０に出力する。
【０１３４】
電話機接続装置１ａ−１のＴＤＭ／レイヤ２変換部２３は、チャネル＃５に対応するＭ個のデータ５５の後のフラグ５１０に設定されている値に基づいて、後続するデータ５５が有効であるか否かを判定する。この場合、チャネル＃５に対応するＭ個のデータ５５の後のフラグ５１０には「０」が設定されているので、ＴＤＭ／レイヤ２変換部２３は、後続するデータが無いと判定し、デカプセル化を終了する。
【０１３５】
なお、電話機接続装置１ａ−１から交換機接続装置２への通信時には、フラグ５１０を有するレイヤ２フレームを必ずしも用いる必要はなく、実施の形態４と同様の動作を行なえばよい。この場合、電話機接続装置１ａ−１のＴＤＭ／レイヤ２変換部２３は、レイヤ２フレームをデカプセル化する際に、フラグ５１０の値が「１」であった数をカウントしておき、このカウント数をＶＩＤで共有する加入者回線数として、データをカプセル化すればよい。
【０１３６】
このようにこの実施の形態５においては、交換機接続装置２は、チャネル識別子を含むレイヤ２フレームにＴＤＭ信号をカプセル化する際に、チャネル識別子を共有するＴＤＭ交換機インタフェース上のチャネル数の情報として、後続するデータの有無示すフラグを含め、電話機接続装置１ａ−１，１ａ−２は、受信したレイヤ２フレームをデカプセル化する際に、有効となっているフラグの数をカウントして何チャネルのＴＤＭ信号がレイヤ２フレームに含まれるかを認識して、チャネル識別子が示す回線識別子を共有するＴＤＭ回線数を認識する。
【０１３７】
これにより、電話機接続装置１ａ−１，１ａ−２に同一の回線識別子を共有するＴＤＭ回線数を示す共有回線数を設定することなく、交換機接続装置２の共有チャネル数を変更するだけで、同一の回線識別子を共有するＴＤＭ回線、および同一のチャネル識別子を共有するＴＤＭ交換機インタフェース上のチャネル数の変更時にも、レイヤ２フレームにカプセル化するＴＤＭ信号数、およびレイヤ２フレームをデカプセル化して抽出するＴＤＭ信号数をダイナミックに変更することが可能となり、加入者の増減に柔軟に対応することができる。
【０１３８】
なお、この実施の形態５では、ＶＬＡＮタグ付きのレイヤ２フレームを用いた場合を例に挙げて説明したが、先の図１５に示したようにＶＬＡＮタグの代わりに回線／チャネル識別子１５０を有するレイヤ２フレームを用いる場合でも、長さ／タイプ５４の後、およびＭ個のデータ５５の後にフラグ５１０を設ければ、上述したＶＬＡＮタグ付きのレイヤ２フレームを用いた場合と同じであることはいうまでもない。
【０１３９】
また、電話機接続装置１ａ−１、１ｂ−１と交換機接続装置２とを接続する中継転送網４にＭＡＣアドレスを用いてレイヤ２フレームを転送するイーサネット（登録商標）網が存在しない場合、レイヤ２フレーム内にフラグ５１０を設けることなく、宛先ＭＡＣアドレス４０にカプセル化されたチャネル数を設定してもよい。たとえば、３チャネルのデータをカプセル化している場合には、交換機接続装置２のレイヤ２／ＴＤＭ変換部３１は、宛先ＭＡＣアドレス４０に「３」を設定し、電話機接続装置１ａ−１、１ａ−２のＴＤＭ／レイヤ２変換部２３は、宛先ＭＡＣアドレス４０に設定されている値を共有する加入者回線数として用いればよい。
【０１４０】
実施の形態６．
図２１〜図２６を参照してこの発明の実施の形態６を説明する。実施の形態１〜５では、ＴＤＭ端末接続装置として電話機接続装置を用い、ＴＤＭ交換機接続装置として電話交換機接続装置を用いた場合について説明した。この実施の形態６では、複数の種類のＴＤＭ交換機インタフェースを収容する場合のＴＤＭ端末接続装置およびＴＤＭ交換機接続装置を用いた場合について説明する。
【０１４１】
図２１は、この発明にかかる実施の形態６のＴＤＭ端末接続装置１０の構成を示すブロック図である。図２１においては、ＴＤＭ端末接続装置１０は、複数（この場合は、３種類）のＴＤＭインタフェースＴＤＭ＃１〜ＴＤＭ＃３を収容しており、ＴＤＭインタフェースＴＤＭ＃１〜ＴＤＭ＃３のＴＤＭ信号の処理を行なうＴＤＭインタフェース処理部１０１−１〜１０１−３と、ＴＤＭ信号をレイヤ２フレームにカプセル化するとともに、レイヤ２フレームをデカプセル化してＴＤＭ信号を抽出するレイヤ２変換部２３と、レイヤ２フレームの交換を行うＬ２ＳＷ７０と、レイヤ２フレームを終端するレイヤ２ＰＨＹ部２５とを備えている。
【０１４２】
ＴＤＭインタフェース処理部１０１−１〜１０１−３は、ＴＤＭインタフェースを終端するＴＤＭＰＨＹ部２２１と、ＴＤＭインタフェース上でのフレームを生成するフレーマ２２０と、レイヤ２フレームにカプセル化されたＴＤＭ信号に基づいてクロックを生成するクロック再生部２４とを備えている。
【０１４３】
図２２は、この発明にかかる実施の形態６のＴＤＭ交換機接続装置６０の構成を示すブロック図である。図２２において、ＴＤＭ交換機接続装置６０は、複数（この場合は、３種類）のＴＤＭ交換機インタフェースＴＤＭ＃１ａ〜ＴＤＭ＃３ａを収容しており、レイヤ２フレームを終端するレイヤ２ＰＨＹ部３０と、ＴＤＭ交換機インタフェースＴＤＭ＃１ａ〜ＴＤＭ＃３ａのＴＤＭ信号の処理を行なうＴＤＭ交換機インタフェース処理部２０１−１〜２０１−３と、ＴＤＭ交換機インタフェース処理部２０１−１〜２０１−３から入力されるＴＤＭ信号をカプセル化してレイヤ２フレームを生成するとともに、レイヤ２ＰＨＹ部３０から入力されるレイヤ２フレームをデカプセル化してＴＤＭ信号を抽出するレイヤ２／ＴＤＭ変換部３１とを備えている。
【０１４４】
ＴＤＭ交換機インタフェース処理部２０１−１〜２０１−３は、ＴＤＭ交換機インタフェースを終端するＴＤＭＰＨＹ部３３と、レイヤ２／ＴＤＭ変換部３１から入力されるＴＤＭ信号からＴＤＭ交換機インタフェース上のフレームを生成するとともに、ＴＤＭＰＨＹ部３３から入力されるＴＤＭ信号をチャネル毎に分離するフレーマ３２とを備えている。
【０１４５】
つぎに、３種類のＴＤＭ交換機インタフェースのサービスが、６４ｋｂｐｓ、１２８ｋｂｐｓ、２５６ｋｂｐｓの速度のサービスである場合を例に挙げて、ＴＤＭ端末接続装置１０のＴＤＭ／レイヤ２変換部２３、およびＴＤＭ交換機接続装置６０のレイヤ２／ＴＤＭ変換部３１の動作を説明する。ここでは、ＴＤＭインタフェースＴＤＭ＃１およびＴＤＭ交換機インタフェースＴＤＭ＃１ａが６４ｋｂｐｓであり、ＴＤＭインタフェースＴＤＭ＃２、およびＴＤＭ交換機インタフェースＴＤＭ＃２ａが１２８ｋｂｐｓであり、ＴＤＭインタフェースＴＤＭ＃３、ＴＤＭ交換機インタフェースＴＤＭ＃３ａが２５６ｋｂｐｓであるものとする。
【０１４６】
また、ＴＤＭ交換機接続装置６０のレイヤ２／ＴＤＭ変換部３１には、図２３に示すようにＶＩＤ３４としてＶＩＤ＝１０１が予め設定されており、ＶＩＤ＝１０１にはＴＤＭ交換機インタフェースＴＤＭ＃１ａのチャネルＣＨ１、ＴＤＭ交換機インタフェースＴＤＭ＃２ａのチャネルＣＨ０、およびＴＤＭ交換機インタフェースＴＤＭ＃３ａのチャネルＣＨ１が割り当てられているものとする。
【０１４７】
まず、ＴＤＭ交換機接続装置６０からＴＤＭ端末接続装置１０への通信動作を説明する。ＴＤＭ交換機接続装置６０のレイヤ２／ＴＤＭ変換部３１は、ＶＩＤ＝１０１に割り当てられているＴＤＭ交換機インタフェースＴＤＭ＃１ａのチャネルＣＨ１からのＴＤＭ信号、ＴＤＭ交換機インタフェースＴＤＭ＃２ａのチャネルＣＨ０からのＴＤＭ信号、およびＴＤＭ交換機インタフェースＴＤＭ＃３ａのチャネルＣＨ１からのＴＤＭ信号をカプセル化してレイヤ２フレームを生成する。
【０１４８】
具体的には、ＴＤＭ交換機接続装置６０のレイヤ２／ＴＤＭ変換部３１は、３種類のサービスの中で最も速度の遅い６４ｋｂｐｓのＴＤＭ交換機インタフェースのサービスのＴＤＭ信号をカプセル化する周期Ｍを基準として、１２８ｋｂｐｓのＴＤＭ交換機インタフェースのサービスのＴＤＭ信号をカプセル化する周期を２Ｍとし、２５６ｋｂｐｓのＴＤＭ交換機インタフェースのサービスのＴＤＭ信号をカプセル化する周期を４Ｍとして、図２４に示すようなレイヤ２フレームを生成する。
【０１４９】
図２４に示したレイヤ２フレームには、長さ／タイプ５４の後、およびＴＤＭ交換機インタフェースのチャネル毎の最後のデータ５５の後に、サービス種別５５０が設けられている。レイヤ２／ＴＤＭ変換部３１は、各サービス種別５５０には当該サービス種別５５０の後のデータ５５に設定されたデータが、カプセル化した時の周期Ｍの何倍であるか、すなわち、６４ｋｐｂｓの何倍の速度サービスのデータであるかを示す情報を設定する。
【０１５０】
図２４の場合は、長さ／タイプ５４の後のサービス種別５５０には、後続するデータ５５に設定されているデータが６４ｋｂｐｓのサービスであるＴＤＭ交換機インタフェースＴＤＭ＃１ａのチャネルＣＨ１のデータであることを示す「１」が設定され、ＴＤＭ交換機インタフェースＴＤＭ＃１ａのチャネルＣＨ１のＭ周期目のデータが設定されているデータ５５の後のサービス種別５５０には、後続するデータ５５に設定されているデータが１２８ｋｂｐｓのサービスであるＴＤＭ交換機インタフェースＴＤＭ＃２ａのチャネルＣＨ０のデータであることを示す「２」が設定され、ＴＤＭ交換機インタフェースＴＤＭ＃２ａのチャネルＣＨ０の２Ｍ周期目のデータが設定されているデータ５５の後のサービス種別５５０には、後続するデータ５５に設定されているデータが２５６ｋｂｐｓのサービスであるＴＤＭ交換機インタフェースＴＤＭ＃３ａのチャネルＣＨ１のデータであることを示す「４」が設定され、ＴＤＭ交換機インタフェースＴＤＭ＃３ａのチャネルＣＨ１の４Ｍ周期目のデータが設定されているデータ５５の後のサービス種別５５０には、後続するデータが無いことを示す「０」が設定される。
【０１５１】
ＴＤＭ交換機接続装置６０が生成したレイヤ２フレームは、中継転送網４を介してＴＤＭ端末接続装置１０に到達し、レイヤ２ＰＨＹ部２５およびＬ２ＳＷ７０を介してＴＤＭ／レイヤ２変換部２３に入力される。
【０１５２】
ＴＤＭ端末接続装置１０のＴＤＭ／レイヤ２変換部２３は、レイヤ２フレームをデカプセル化してデータ５５に設定されているＴＤＭ信号を抽出する。具体的には、ＴＤＭ／レイヤ２変換部２３は、長さ／タイプ５４の後のサービス種別５５０に設定されている値に基づいて、後続するデータ５５のＴＤＭ交換機インタフェースのサービスの速度を識別して、デカプセル化する周期を選択してデータを抽出する。ここでは、長さ／タイプ５４の後のサービス種別５５０には「１」が設定されているので、ＴＤＭ交換機インタフェースＴＤＭ＃１ａのチャネルＣＨ１に対応するＭ個のデータ５５に設定されているＴＤＭ信号を抽出してＴＤＭ交換機インタフェース処理部１０１−１のフレーマ２２０に出力する。
【０１５３】
ＴＤＭ端末接続装置１０のＴＤＭ／レイヤ２変換部２３は、ＴＤＭ交換機インタフェースＴＤＭ＃１ａのチャネルＣＨ１に対応するＭ個のデータ５５の後のサービス種別５５０に設定されている値に基づいて、後続するデータ５５のＴＤＭ交換機インタフェースのサービスの速度を識別して、デカプセル化する周期を選択してＴＤＭ信号を抽出する。ここでは、ＴＤＭ交換機インタフェースＴＤＭ＃１ａのチャネルＣＨ１に対応するＭ個のデータ５５の後のサービス種別５５０には「２」が設定されているので、ＴＤＭ交換機インタフェースＴＤＭ＃２ａのチャネルＣＨ０に対応する２Ｍ個のデータ５５に設定されているＴＤＭ信号を抽出してＴＤＭ交換機インタフェース処理部１０１−２のフレーマ２２０に出力する。
【０１５４】
ＴＤＭ端末接続装置１０のＴＤＭ／レイヤ２変換部２３は、ＴＤＭ交換機インタフェースＴＤＭ＃２ａのチャネルＣＨ０に対応する２Ｍ個のデータ５５の後のサービス種別５５０に設定されている値に基づいて、後続するデータ５５のＴＤＭ交換機インタフェースのサービスの速度を識別して、デカプセル化する周期を選択してＴＤＭ信号を抽出する。ここでは、ＴＤＭ交換機インタフェースＴＤＭ＃２ａのチャネルＣＨ０に対応する２Ｍ個のデータ５５の後のサービス種別５５０には「４」が設定されているので、ＴＤＭ交換機インタフェースＴＤＭ＃３ａのチャネルＣＨ１に対応する４Ｍ個のデータ５５に設定されているＴＤＭ信号を抽出してＴＤＭ交換機インタフェース処理部１０１−３のフレーマ２２０に出力する。
【０１５５】
ＴＤＭ端末接続装置１０のＴＤＭ／レイヤ２変換部２３は、ＴＤＭ交換機インタフェースＴＤＭ＃３ａのチャネルＣＨ０に対応する４Ｍ個のデータ５５の後のサービス種別５５０に設定されている値に基づいて、後続するデータ５５のＴＤＭ交換機インタフェースのサービスの速度を識別して、デカプセル化する周期を選択してデータを抽出する。ここでは、ＴＤＭ交換機インタフェースＴＤＭ＃３ａのチャネルＣＨ０に対応する４Ｍ個のデータ５５の後のサービス種別５５０には「０」が設定されているので、レイヤ２フレームのデカプセル化を終了する。
【０１５６】
ＴＤＭ端末接続装置１０のＴＤＭ交換機インタフェース処理部１０１−１〜１０１−３のフレーマ２２０は、ＴＤＭ／レイヤ２変換部２３から入力されたＴＤＭ信号からＴＤＭ交換機インタフェース上のフレームを生成して、ＴＤＭＰＨＹ部２２１を介してＴＤＭ交換機インタフェースＴＤＭ＃１〜ＴＤＭ＃３に出力する。
【０１５７】
つぎに、ＴＤＭ端末接続装置１０からＴＤＭ交換機接続装置６０への通信動作を説明する。ＴＤＭ交換機インタフェースＴＤＭ＃１から入力されるＴＤＭ信号は、ＴＤＭ交換機インタフェース処理部１０１−１のＴＤＭＰＨＹ部２２１およびフレーマ２２０を介してＴＤＭ／レイヤ２変換部２３に入力される。ＴＤＭ交換機インタフェースＴＤＭ＃２から入力されるＴＤＭ信号は、ＴＤＭ交換機インタフェース処理部１０１−２のＴＤＭＰＨＹ部２２１およびフレーマ２２０を介してＴＤＭ／レイヤ２変換部２３に入力される。ＴＤＭ交換機インタフェースＴＤＭ＃３から入力されるＴＤＭ信号は、ＴＤＭ交換機インタフェース処理部１０１−３のＴＤＭＰＨＹ部２２１およびフレーマ２２０を介してＴＤＭ／レイヤ２変換部２３に入力される。
【０１５８】
ＴＤＭ端末接続装置１０のＴＤＭ／レイヤ２変換部２３は、ＴＤＭ交換機インタフェース処理部１０１−１〜１０１−３のフレーマ２２０から入力されるＴＤＭ交換機インタフェースＴＤＭ＃１〜ＴＤＭ＃３からのＴＤＭ信号をカプセル化してレイヤ２フレームを生成する。
【０１５９】
具体的には、ＴＤＭ端末接続装置１０のＴＤＭ／レイヤ２変換部２３は、上述したＴＤＭ交換機接続装置６０からＴＤＭ端末接続装置１０への通信動作時に図２４に示したレイヤ２フレームのサービス種別５５０に設定されていた値を用いて、図２５に示すようなレイヤ２フレームを生成する。
【０１６０】
より具体的には、ＴＤＭ端末接続装置１０のＴＤＭ／レイヤ２変換部２３は、長さ／タイプ４４の後のサービス種別４５０に、後続するデータ４５に設定されているＴＤＭ信号が６４ｋｂｐｓのサービスであるＴＤＭ交換機インタフェースＴＤＭ＃１のデータであることを示す「１」を設定し、ＴＤＭ交換機インタフェース処理部１０１−１のフレーマ２２０から入力されるＭ周期分のＴＤＭ信号をＴＤＭ交換機インタフェースＴＤＭ＃１に対応するＭ個のデータ４５に設定する。ＴＤＭ／レイヤ２変換部２３は、ＴＤＭ交換機インタフェースＴＤＭ＃１に対応するＭ個のデータ４５の後のサービス種別４５０に、後続するデータ４５に設定されているＴＤＭ信号が１２８ｋｂｐｓのサービスであるＴＤＭ交換機インタフェースＴＤＭ＃２のデータであることを示す「２」を設定し、ＴＤＭ交換機インタフェース処理部１０１−２のフレーマ２２０から入力される２Ｍ周期分のＴＤＭ信号をＴＤＭ交換機インタフェースＴＤＭ＃１に対応するＭ個のデータ４５に設定する。ＴＤＭ／レイヤ２変換部２３は、ＴＤＭ交換機インタフェースＴＤＭ＃２に対応する２Ｍ個のデータ４５の後のサービス種別４５０に、後続するデータ４５に設定されているＴＤＭ信号が２５６ｋｂｐｓのサービスであるＴＤＭ交換機インタフェースＴＤＭ＃３のデータであることを示す「４」を設定し、ＴＤＭ交換機インタフェース処理部１０１−３のフレーマ２２０から入力される４Ｍ周期分のＴＤＭ信号をＴＤＭ交換機インタフェースＴＤＭ＃３に対応する４Ｍ個のデータ４５に設定する。ＴＤＭ／レイヤ２変換部２３は、ＴＤＭ交換機インタフェースＴＤＭ＃３に対応する４Ｍ個のデータ４５の後のサービス種別４５０に、後続するデータが無いことを示す「０」を設定してカプセル化を終了する。
【０１６１】
ＴＤＭ端末接続装置１０のＴＤＭ／レイヤ２変換部２３によって生成されたレイヤ２フレームは、中継転送網４を介してＴＤＭ交換機接続装置６０に到達し、レイヤ２ＰＨＹ部３０を介してレイヤ２／ＴＤＭ変換部３１に入力される。
【０１６２】
ＴＤＭ交換機接続装置６０のレイヤ２／ＴＤＭ変換部３１は、レイヤ２フレームをデカプセル化してデータ４５に設定されているＴＤＭ信号を抽出する。具体的には、レイヤ２／ＴＤＭ変換部３１は、長さ／タイプ４４の後のサービス種別４５０に設定されている値に基づいて、後続するデータ４５のＴＤＭ交換機インタフェースのサービスの速度を識別して、デカプセル化する周期を選択してＴＤＭ信号を抽出する。ここでは、長さ／タイプ４４の後のサービス種別４５０には「１」が設定されているので、ＴＤＭ交換機インタフェースＴＤＭ＃１に対応するＭ個のデータ４５に設定されているＴＤＭ信号を抽出してＴＤＭ交換機インタフェース処理部２０１−１のフレーマ３２に出力する。
【０１６３】
ＴＤＭ交換機接続装置６０のレイヤ２／ＴＤＭ変換部３１は、ＴＤＭ交換機インタフェースＴＤＭ＃１に対応するＭ個のデータ４５の後のサービス種別４５０に設定されている値に基づいて、後続するデータ４５のＴＤＭ交換機インタフェースのサービスの速度を識別して、デカプセル化する周期を選択してＴＤＭ信号を抽出する。ここでは、ＴＤＭ交換機インタフェースＴＤＭ＃１に対応するＭ個のデータ４５の後のサービス種別４５０には「２」が設定されているので、ＴＤＭ交換機インタフェースＴＤＭ＃２に対応する２Ｍ個のデータ４５に設定されているＴＤＭ信号を抽出してＴＤＭ交換機インタフェース処理部２０１−２のフレーマ３２に出力する。
【０１６４】
ＴＤＭ交換機接続装置６０のレイヤ２／ＴＤＭ変換部３１は、ＴＤＭ交換機インタフェースＴＤＭ＃２に対応する２Ｍ個のデータ４５の後のサービス種別４５０に設定されている値に基づいて、後続するデータ４５のＴＤＭ交換機インタフェースのサービスの速度を識別して、デカプセル化する周期を選択してＴＤＭ信号を抽出する。ここでは、ＴＤＭ交換機インタフェースＴＤＭ＃２に対応する２Ｍ個のデータ４５の後のサービス種別４５０には「４」が設定されているので、ＴＤＭ交換機インタフェースＴＤＭ＃３に対応する４Ｍ個のデータ４５に設定されているＴＤＭ信号を抽出してＴＤＭ交換機インタフェース処理部２０１−３のフレーマ３２に出力する。
【０１６５】
ＴＤＭ交換機接続装置６０のレイヤ２／ＴＤＭ変換部３１は、ＴＤＭ交換機インタフェースＴＤＭ＃３に対応する４Ｍ個のデータ４５の後のサービス種別４５０に設定されている値に基づいて、後続するデータ４５のＴＤＭ交換機インタフェースのサービスの速度を識別して、デカプセル化する周期を選択してＴＤＭ信号を抽出する。ここでは、ＴＤＭ交換機インタフェースＴＤＭ＃３に対応する４Ｍ個のデータ４５の後のサービス種別４５０には「０」が設定されているので、レイヤ２フレームのデカプセル化を終了する。また、レイヤ２／ＴＤＭ変換部３１は、レイヤ２フレームに設定されているＶＩＤを抽出してＴＤＭ交換機インタフェース処理部２０１−１〜２０１−３のフレーマ３２に通知する。ここでは、ＶＩＤ＝１０１が通知される。
【０１６６】
ＴＤＭ交換機インタフェース処理部２０１−１のフレーマ３２は、レイヤ２／ＴＤＭ変換部３１から入力されたＴＤＭ信号からＴＤＭ交換機インタフェース上のフレームを生成し、ＴＤＭＰＨＹ部３３を介してＶＩＤ＝１０１に割り当てられたＴＤＭ交換機インタフェースＴＤＭ＃１ａのチャネルＣＨ１に生成したフレームを出力する。
【０１６７】
ＴＤＭ交換機インタフェース処理部２０１−２のフレーマ３２は、レイヤ２／ＴＤＭ変換部３１から入力されたＴＤＭ信号からＴＤＭ交換機インタフェース上のフレームを生成し、ＴＤＭＰＨＹ部３３を介してＶＩＤ＝１０１に割り当てられたＴＤＭ交換機インタフェースＴＤＭ＃２ａのチャネルＣＨ０に生成したフレームを出力する。
【０１６８】
ＴＤＭ交換機インタフェース処理部２０１−３のフレーマ３２は、レイヤ２／ＴＤＭ変換部３１から入力されたＴＤＭ信号からＴＤＭ交換機インタフェース上のフレームを生成し、ＴＤＭＰＨＹ部３３を介してＶＩＤ＝１０１に割り当てられたＴＤＭ交換機インタフェースＴＤＭ＃３ａのチャネルＣＨ１に生成したフレームを出力する。
【０１６９】
これにより、図２５に示したようにＴＤＭ交換機インタフェースＴＤＭ＃１からのＴＤＭ信号は、ＴＤＭ交換機インタフェースＴＤＭ＃１ａのチャネルＣＨ１に転送され、ＴＤＭ交換機インタフェースＴＤＭ＃２からのＴＤＭ信号は、ＴＤＭ交換機インタフェースＴＤＭ＃２ａのチャネルＣＨ０に転送され、ＴＤＭ交換機インタフェースＴＤＭ＃３からのＴＤＭ信号は、ＴＤＭ交換機インタフェースＴＤＭ＃３ａのチャネルＣＨ１に転送される。
【０１７０】
このようにこの実施の形態６においては、ＴＤＭ端末接続装置１０は、回線識別子を含むレイヤ２フレームにＴＤＭ信号をカプセル化する際に、同一の回線識別子を共有する各ＴＤＭ回線が有するサービスの種類を示す情報を含めてＴＤＭ交換機接続装置６０に送信する。また、ＴＤＭ交換機接続装置６０は、チャネル識別子を含むレイヤ２フレームにＴＤＭ信号をカプセル化する際に、同一のチャネル識別子を共有する各ＴＤＭ交換機インタフェース上のチャネルが有するサービスの種類を示す情報を含めてＴＤＭ端末接続装置に送信する。
【０１７１】
これにより、加入者電話機および電話交換機にＭＡＣアドレスを割り当てることなく、異なるサービスを有するＴＤＭ回線およびＴＤＭ交換機インタフェース上のチャネルのＴＤＭ信号を同一のレイヤ２フレームにカプセル化して転送することができる。
【０１７２】
なお、この実施の形態６では、ＶＬＡＮタグ付きのレイヤ２フレームを用いた場合を例に挙げて説明したが、先の図１４に示したＶＬＡＮタグの代わりに回線／チャネル識別子４４０を有するレイヤ２フレーム、および先の図１５に示したＶＬＡＮタグの代わりに回線／チャネル識別子５４０を有するレイヤ２フレームを用いる場合でも、サービス種別４５０、およびサービス種別５５０を設ければ、上述したＶＬＡＮタグ付きのレイヤ２フレームを用いた場合と同じであることはいうまでもない。
【０１７３】
また、ＴＤＭ端末接続装置１０とＴＤＭ交換機接続装置６０とを接続する中継転送網４にＭＡＣアドレスを用いてレイヤ２フレームを転送するイーサネット（登録商標）網が存在しない場合、レイヤ２フレーム内にサービス種別４５０またはサービス種別５５０を設けることなく、宛先ＭＡＣアドレス４０または宛先ＭＡＣアドレス５０にサービス種別を示す情報を設定するようにしてもよい。たとえば、宛先ＭＡＣアドレス４０または宛先ＭＡＣアドレス５０が６バイトである場合、各バイトにサービス種別を示す情報を設定する。具体的には、上述したように６４ｋｂｐｓ、１２８ｋｂｐｓ、および２５６ｋｂｐｓのＴＤＭ交換機インタフェースのサービスのＴＤＭ信号をカプセル化した場合には、宛先ＭＡＣアドレス４０または宛先ＭＡＣアドレス５０の上位３バイトに、「１」、「２」、「４」を設定する。
【０１７４】
また、この実施の形態６では、１種類のＴＤＭ交換機インタフェースのサービスについて、１つのＴＤＭ交換機インタフェースの１チャネルのみをカプセル化する場合を例に挙げて説明したが、実施の形態２と同様に、ＴＤＭ端末接続装置１０のＴＤＭ／レイヤ２変換部２３、およびＴＤＭ交換機接続装置６０のレイヤ２／ＴＤＭ変換部３１に、予めレイヤ２フレームに格納する順番を設定しておけば、同一ＴＤＭ交換機インタフェースのサービスの複数チャネル（回線）を１つのレイヤ２フレームにカプセル化することも可能である。たとえば、図２６に示すように、２回線の６４ｋｂｐｓのＴＤＭ交換機インタフェースのサービスのＴＤＭ信号と、１回線の１２８ｋｂｐｓおよび２５６ｋｂｐｓのＴＤＭ交換機インタフェースのサービスのＴＤＭ信号とをカプセル化することも可能である。これにより、同じＶＩＤを共有する回線数およびチャネル数が変更される場合でも、
【産業上の利用可能性】
【０１７５】
以上のように、本発明にかかるＴＤＭ信号伝送システムは、ＴＤＭ信号の転送に有用であり、特に、ＴＤＭ信号をイーサネット（登録商標）フレームにカプセル化して転送するシステムに適している。
【図面の簡単な説明】
【０１７６】
【図１】この発明にかかる実施の形態１のＴＤＭ信号伝送システムの構成を示す図である。
【図２】図１に示した電話機接続装置の構成を示すブロック図である。
【図３】図１に示した交換機接続装置の構成を示すブロック図である。
【図４】交換機接続装置に設定されたＶＩＤとＴＤＭ交換機インタフェース上のチャネルとの対応を説明するための図である。
【図５】電話機接続装置が生成するレイヤ２フレームの構成の一例を示す図である。
【図６】交換機接続装置が生成するレイヤ２フレームの構成の一例を示す図である。
【図７】電話機接続装置が生成するレイヤ２フレームの構成の一例を示す図である。
【図８】交換機接続装置が生成するレイヤ２フレームの構成の一例を示す図である。
【図９】この発明にかかる実施の形態２のＴＤＭ信号伝送システムの構成を示す図である。
【図１０】図９に示した電話機接続装置の構成を示すブロック図である。
【図１１】電話機接続装置が生成するレイヤ２フレームの構成の一例を示す図である。
【図１２】交換機接続装置に設定されたＶＩＤとＴＤＭ交換機インタフェース上のチャネルとの対応を説明するための図である。
【図１３】交換機接続装置が生成するレイヤ２フレームの構成の一例を示す図である。
【図１４】電話機接続装置が生成するレイヤ２フレームの構成の一例を示す図である。
【図１５】交換機接続装置が生成するレイヤ２フレームの構成の一例を示す図である。
【図１６】この発明にかかる実施の形態３の電話機接続装置の構成を示すブロック図である。
【図１７】回線／チャネル識別子の構成を示す図である。
【図１８】この発明にかかる実施の形態４の電話機接続装置から交換機接続装置への通信動作を説明するための図である。
【図１９】この発明にかかる実施の形態４の交換機接続装置から電話機接続装置への通信動作を説明するための図である。
【図２０】この発明にかかる実施の形態５の交換機接続装置が生成するレイヤ２フレームの構成の一例を示す図である。
【図２１】この発明にかかる実施の形態６のＴＤＭ端末接続装置の構成を示すブロック図である。
【図２２】この発明にかかる実施の形態６のＴＤＭ交換機接続装置の構成を示すブロック図である。
【図２３】ＴＤＭ交換機接続装置に設定されたＶＩＤとＴＤＭ交換機インタフェース上のチャネルとの対応を説明するための図である
【図２４】交換機接続装置が生成するレイヤ２フレームの構成の一例を示す図である。
【図２５】ＴＤＭ端末接続装置からＴＤＭ交換機接続装置への通信動作を説明するための図である。
【図２６】ＴＤＭ端末接続装置からＴＤＭ交換機接続装置への通信動作を説明するための図である。
【符号の説明】
【０１７７】
１−１，１−２，１ａ−１，１ａ−２  電話機接続装置
２  交換機接続装置
３  電話交換機
４  中継転送網
５  イーサネット（登録商標）網
６，８  ＯＬＴ
７−１，７−２  ＯＮＵ
１０  ＴＤＭ端末接続装置
２０  ＳＬＩＣ
２１  コネクタ
２２  リンガー電源部
２３  ＴＤＭ／レイヤ２変換部
２４  クロック再生部
２５  レイヤ２ＰＨＹ部
２６，２６ａ，３４  ＶＩＤ
２９−１，２９−ｎ  回線インタフェース処理部
３０  レイヤ２ＰＨＹ部
３１  レイヤ２／ＴＤＭ変換部
３２，２２０  フレーマ
３３，２２１  ＴＤＭＰＨＹ部
４０，５０  宛先ＭＡＣアドレス
４１，５１  ソースＭＡＣアドレス
４２，５２  ＴＰＩＤ
４３，５３  ＴＣＩ
４４，５４  長さ／タイプ
４５，５５  データ
４６，５６  ＰＡＤ
４７，５７  ＦＣＳ
６０  ＴＤＭ交換機接続装置
７０  Ｌ２ＳＷ
１０１−１，１０１−２，１０１−３  ＴＤＭインタフェース処理部
１０６−１，１０６−２，１０６ａ−１，１０６ａ−２，１０６ａ−３，１０６ａ−ｎ，１０６ｂ−１，１０６ｂ−ｎ  加入者電話機
１１２  レイヤ２ブリッジ
１１３  優先制御部
１１４ａ，１１４ｂ  キュー
１１５  読み出し制御部
１４１  優先度
１４２  識別子
２０１−１，２０２−２，２０２−３  ＴＤＭ交換機インタフェース処理部
４３１，５３１  プライオリティ
４３２，５３２  ＣＦＩ
４３３，５３３  ＶＬＡＮ−ＩＤ
４４０，５４０  回線／チャネル識別子
４５０，５５０  サービス種別
４５１  シグナリング信号
４５２，５５２  ＰＣＭ信号
５１０  フラグ
５５１  フック信号
【図１】
0004481900.tif 000002
【図２】
0004481900.tif 000003
【図３】
0004481900.tif 000004
【図４】
0004481900.tif 000005
【図５】
0004481900.tif 000006
【図６】
0004481900.tif 000007
【図７】
0004481900.tif 000008
【図８】
0004481900.tif 000009
【図９】
0004481900.tif 000010
【図１０】
0004481900.tif 000011
【図１１】
0004481900.tif 000012
【図１２】
0004481900.tif 000013
【図１３】
0004481900.tif 000014
【図１４】
0004481900.tif 000015
【図１５】
0004481900.tif 000016
【図１６】
0004481900.tif 000017
【図１７】
0004481900.tif 000018
【図１８】
0004481900.tif 000019
【図１９】
0004481900.tif 000020
【図２０】
0004481900.tif 000021
【図２１】
0004481900.tif 000022
【図２２】
0004481900.tif 000023
【図２３】
0004481900.tif 000024
【図２４】
0004481900.tif 000025
【図２５】
0004481900.tif 000026
【図２６】
0004481900.tif 000027